(57)【要約】【課題】画像表示装置の表示方向が変更された場合に表示方向に応じた画像を画像表示装置に表示させることが可能な表示制御装置、表示制御システム及びコンピュータプログラムを提供する。【解決手段】画像表示装置２は、画像表示部２２の表示方向が変更された場合に、回転角度センサ２４によって検知した回転角度を表示制御装置１へ通知する。表示制御装置１は、画像表示装置２から回転角度を通知された場合、回転角度を通知してきた送信元の画像表示装置２と、通知された回転角度と、現在設定されている表示モードとに基づいて、それぞれの画像表示装置２へ伝送すべき画像情報を特定する。表示制御装置１は、特定した画像情報を画像表示装置２のそれぞれへ伝送し、画像表示装置２のそれぞれは、取得した画像情報に基づいて画像を画像表示部２２に表示させる。【選択図】図２
2011022862.tif 000002
【特許請求の範囲】
【請求項１】
１又は複数の画像表示装置との接続が可能であり、接続されている画像表示装置のそれぞれに、表示させるべき画像情報を伝送して表示させる表示制御装置において、
前記画像表示装置のそれぞれの表示方向を示す情報を取得する方向取得部と、
該方向取得部が取得した情報に基づいて、前記画像表示装置に表示させるべき画像情報を特定する画像特定部と、
該画像特定部が特定した画像情報を前記画像表示装置へ伝送する伝送部と
を備えることを特徴とする表示制御装置。
【請求項２】
前記方向取得部が取得した情報が示す前記画像表示装置の表示方向に位置する閲覧者を検出する閲覧者検出部を備え、
前記画像特定部は、前記閲覧者検出部が検出した閲覧者に対応する画像情報を特定するようにしてあることを特徴とする請求項１に記載の表示制御装置。
【請求項３】
１又は複数の閲覧者のそれぞれに対応付けて画像情報を記憶する画像記憶部を備え、
前記画像特定部は、前記閲覧者検出部が検出した閲覧者に対応する画像情報を前記画像記憶部に記憶してある画像情報から特定するようにしてあることを特徴とする請求項２に記載の表示制御装置。
【請求項４】
前記画像表示装置の表示方向のそれぞれと、各表示方向に位置する閲覧者を示す閲覧者情報とを対応付けて記憶する位置情報テーブルを備え、
前記閲覧者検出部は、前記方向取得部が取得した情報が示す前記画像表示装置の表示方向に対応する閲覧者を前記位置情報テーブルから特定するようにしてあることを特徴とする請求項２又は３に記載の表示制御装置。
【請求項５】
前記方向取得部が取得した情報が示す前記画像表示装置の表示方向に位置する他の画像表示装置を検出する装置検出部を備え、
前記閲覧者検出部は、前記装置検出部が検出した画像表示装置に予め対応付けられている閲覧者を検出するようにしてあることを特徴とする請求項２又は３に記載の表示制御装置。
【請求項６】
複数の閲覧者を識別する閲覧者情報と、前記閲覧者のそれぞれに予め設定されている機密レベルとを対応付けて記憶する閲覧者テーブルと、
前記閲覧者検出部が検出した閲覧者の機密レベルを前記閲覧者テーブルから取得する機密レベル取得部とを備え、
前記画像特定部は、前記機密レベル取得部が取得した機密レベルに対応する画像情報を特定するようにしてあることを特徴とする請求項２から５までのいずれかひとつに記載の表示制御装置。
【請求項７】
前記伝送部は、前記方向取得部が取得した情報によって表示方向が示される画像表示装置へ、前記画像特定部が特定した画像情報を伝送するようにしてあることを特徴とする請求項１から６までのいずれかひとつに記載の表示制御装置。
【請求項８】
前記伝送部は、前記方向取得部が取得した情報が示す表示方向に位置する画像表示装置へ、前記画像特定部が特定した画像情報を伝送するようにしてあることを特徴とする請求項１から６までのいずれかひとつに記載の表示制御装置。
【請求項９】
前記伝送部は、前記画像特定部が特定した画像情報と、前記表示方向に位置する画像表示装置の表示方向に基づく画像情報とを伝送するようにしてあることを特徴とする請求項８に記載の表示制御装置。
【請求項１０】
前記伝送部は、前記方向取得部が取得した情報が示す表示方向に位置する画像表示装置以外の画像表示装置への画像情報の伝送を行なわないようにしてあることを特徴とする請求項８又は９に記載の表示制御装置。
【請求項１１】
１又は複数の画像表示装置と、
請求項１から１０までのいずれかひとつに記載の表示制御装置とを備え、
前記画像表示装置は、
画像を表示する表示部と、
該表示部の表示方向を検知する検知部と、
該検知部が検知した表示方向を示す情報を前記表示制御装置へ出力する出力部とを備え、
前記表示制御装置の前記方向取得部は、前記画像表示装置の前記出力部が出力した情報を取得するようにしてあることを特徴とする表示制御システム。
【請求項１２】
前記検知部は、前記表示部の表示方向として、鉛直方向を回転軸とした前記表示部の回転角度を検知するようにしてあることを特徴とする請求項１１に記載の表示制御システム。
【請求項１３】
コンピュータに、１又は複数の画像表示装置のそれぞれに、表示させるべき画像情報を伝送して表示させるためのコンピュータプログラムにおいて、
前記コンピュータに、
前記画像表示装置のそれぞれの表示方向を示す情報を取得する方向取得ステップと、
該方向取得ステップで取得した情報に基づいて、前記画像表示装置に表示させるべき画像情報を特定する画像特定ステップと、
該画像特定ステップで特定した画像情報を前記画像表示装置へ伝送する伝送ステップと
を実行させることを特徴とするコンピュータプログラム。
【発明の詳細な説明】
【技術分野】
【０００１】
本発明は、１又は複数の画像表示装置との接続が可能であり、接続されている画像表示装置に画像情報を伝送して表示させる表示制御装置、表示制御システム及びコンピュータプログラムに関する。
【背景技術】
【０００２】
従来の画像表示装置に対する画像表示制御に関して、例えばカーナビゲーションシステムのように、表示パネルに表示される文字列を、運転者又は搭乗者等の閲覧者に対して常に見易い方向に回転させて表示する装置がある。例えば、カーナビゲーションシステムでは、進行方向を常に上向きとして地図表示を行なうヘディングアップモードが設けられている。ヘディングアップモードでの地図表示では、車両が進行方向に対して左折又は右折を行なう都度、表示パネルに表示される地図が左回転又は右回転されて表示される。従って、ヘディングアップモードでの地図表示では、車両からの実際の視界の状況が地図上での状況と一致するので、周囲の状況を把握し易い。
【０００３】
ところで、カーナビゲーションシステムでは、地図中の道路の名称、鉄道の路線名及び河川の名称等は、道路、路線及び河川のそれぞれに沿って、各文字の天地方向を、道路、路線及び河川のそれぞれに対して直交させて表示されることが多い。従って、車両の左折又は右折に伴って表示パネルに表示させる文字列を左回転又は右回転させるヘディングアップモードでは、文字の天地方向と表示パネルの上下方向とが一致している文字列は、閲覧者にとって認識し易いが、文字の天地方向が表示パネルの上下方向と一致していない文字列は、認識し難いという問題があった。
【０００４】
このような問題を解決するために、閲覧者の位置を検出するためのセンサを車両に設け、センサによって検出された閲覧者の位置に応じて、表示パネルに表示される文字列を回転させて表示させる技術が提案されている（特許文献１参照）。このように、閲覧者の位置に応じて文字列を回転させることにより、例えば閲覧者が車両の運転者である場合であっても助手席の搭乗者である場合であっても、それぞれの閲覧者にとって見易い画面を表示することができる。
【０００５】
また、表示画面の左右両側に２つの人センサを設け、２つの人センサの両方で人を検知するように表示画面を回転させることにより、表示画面を常に人（閲覧者）の正面に向けることができる表示装置が提案されている（特許文献２参照）。このような表示装置を用いることにより、閲覧者は常に表示画面の正面に位置することができる。
【先行技術文献】
【特許文献】
【０００６】
【特許文献１】特開２００５−８４１２２号公報
【特許文献２】特開平１０−１１７３１２号公報
【発明の概要】
【発明が解決しようとする課題】
【０００７】
ところで、集会、会合又は会議等で、複数の参加者が向かい合った状態で表示装置を使用する場合に、表示装置の表示画面を回転させることによって、表示された情報を各参加者に閲覧させる状況が有り得る。また、このような状況において、参加者毎に異なる情報を閲覧させることも考えられる。しかしながら、特許文献１，２は、ある閲覧者にとって見易い画面表示を行なうことを目的としており、複数の閲覧者毎に異なる情報を閲覧させることを目的としていない。従って、会議等のように複数の閲覧者がいる中で特定の閲覧者に表示画面を向けた場合に、閲覧者に応じた情報を表示させることはできないという問題がある。
【０００８】
本発明はかかる事情に鑑みてなされたものであり、その目的とするところは、画像表示装置の表示方向が変更された場合に表示方向に応じた画像を画像表示装置に表示させることにより、閲覧者に対して有用な情報を適宜提供することが可能な表示制御装置、表示制御システム及びコンピュータプログラムを提供することにある。
【課題を解決するための手段】
【０００９】
本発明に係る表示制御装置は、１又は複数の画像表示装置との接続が可能であり、接続されている画像表示装置のそれぞれに、表示させるべき画像情報を伝送して表示させる表示制御装置において、前記画像表示装置のそれぞれの表示方向を示す情報を取得する方向取得部と、該方向取得部が取得した情報に基づいて、前記画像表示装置に表示させるべき画像情報を特定する画像特定部と、該画像特定部が特定した画像情報を前記画像表示装置へ伝送する伝送部とを備えることを特徴とする。
【００１０】
本発明に係る表示制御装置は、前記方向取得部が取得した情報が示す前記画像表示装置の表示方向に位置する閲覧者を検出する閲覧者検出部を備え、前記画像特定部は、前記閲覧者検出部が検出した閲覧者に対応する画像情報を特定するようにしてあることを特徴とする。
【００１１】
本発明に係る表示制御装置は、１又は複数の閲覧者のそれぞれに対応付けて画像情報を記憶する画像記憶部を備え、前記画像特定部は、前記閲覧者検出部が検出した閲覧者に対応する画像情報を前記画像記憶部に記憶してある画像情報から特定するようにしてあることを特徴とする。
【００１２】
本発明に係る表示制御装置は、前記画像表示装置の表示方向のそれぞれと、各表示方向に位置する閲覧者を示す閲覧者情報とを対応付けて記憶する位置情報テーブルを備え、前記閲覧者検出部は、前記方向取得部が取得した情報が示す前記画像表示装置の表示方向に対応する閲覧者を前記位置情報テーブルから特定するようにしてあることを特徴とする。
【００１３】
本発明に係る表示制御装置は、前記方向取得部が取得した情報が示す前記画像表示装置の表示方向に位置する他の画像表示装置を検出する装置検出部を備え、前記閲覧者検出部は、前記装置検出部が検出した画像表示装置に予め対応付けられている閲覧者を検出するようにしてあることを特徴とする。
【００１４】
本発明に係る表示制御装置は、複数の閲覧者を識別する閲覧者情報と、前記閲覧者のそれぞれに予め設定されている機密レベルとを対応付けて記憶する閲覧者テーブルと、前記閲覧者検出部が検出した閲覧者の機密レベルを前記閲覧者テーブルから取得する機密レベル取得部とを備え、前記画像特定部は、前記機密レベル取得部が取得した機密レベルに対応する画像情報を特定するようにしてあることを特徴とする。
【００１５】
本発明に係る表示制御装置は、前記伝送部は、前記方向取得部が取得した情報によって表示方向が示される画像表示装置へ、前記画像特定部が特定した画像情報を伝送するようにしてあることを特徴とする。
【００１６】
本発明に係る表示制御装置は、前記伝送部は、前記方向取得部が取得した情報が示す表示方向に位置する画像表示装置へ、前記画像特定部が特定した画像情報を伝送するようにしてあることを特徴とする。
【００１７】
本発明に係る表示制御装置は、前記伝送部は、前記画像特定部が特定した画像情報と、前記表示方向に位置する画像表示装置の表示方向に基づく画像情報とを伝送するようにしてあることを特徴とする。
【００１８】
本発明に係る表示制御装置は、前記伝送部は、前記方向取得部が取得した情報が示す表示方向に位置する画像表示装置以外の画像表示装置への画像情報の伝送を行なわないようにしてあることを特徴とする。
【００１９】
本発明に係る表示制御システムは、１又は複数の画像表示装置と、上述したいずれかの表示制御装置とを備え、前記画像表示装置は、画像を表示する表示部と、該表示部の表示方向を検知する検知部と、該検知部が検知した表示方向を示す情報を前記表示制御装置へ出力する出力部とを備え、前記表示制御装置の前記方向取得部は、前記画像表示装置の前記出力部が出力した情報を取得するようにしてあることを特徴とする。
【００２０】
本発明に係る表示制御システムは、前記検知部は、前記表示部の表示方向として、鉛直方向を回転軸とした前記表示部の回転角度を検知するようにしてあることを特徴とする。
【００２１】
本発明に係るコンピュータプログラムは、コンピュータに、１又は複数の画像表示装置のそれぞれに、表示させるべき画像情報を伝送して表示させるためのコンピュータプログラムにおいて、前記コンピュータに、前記画像表示装置のそれぞれの表示方向を示す情報を取得する方向取得ステップと、該方向取得ステップで取得した情報に基づいて、前記画像表示装置に表示させるべき画像情報を特定する画像特定ステップと、該画像特定ステップで特定した画像情報を前記画像表示装置へ伝送する伝送ステップとを実行させることを特徴とする。
【００２２】
本発明によれば、１又は複数の画像表示装置の表示方向に応じて、それぞれの画像表示装置で表示される画像情報を変更させる。例えば、１つの画像表示装置の表示方向が変更された場合に、表示方向が変更された画像表示装置に表示される画像を、変更された表示方向に応じた画像に切り替えることが可能となる。また、１つの画像表示装置の表示方向が変更された場合に、表示方向が変更された画像表示装置以外の画像表示装置に表示される画像を、変更された表示方向に応じた画像に切り替えることが可能となる。
【００２３】
本発明によれば、それぞれの画像表示装置に、それぞれの表示方向に位置する閲覧者に対応する画像情報を表示させる。よって、例えば、会議での座席のように閲覧者の位置が予め決まっていれば、画像表示装置の表示方向に位置する閲覧者を特定できるので、特定された閲覧者に対応する画像情報を表示させることが可能となる。
【００２４】
本発明によれば、閲覧者のそれぞれに対応付けて画像情報を記憶しておき、画像表示装置の表示方向に位置する閲覧者に対応する画像情報を、記憶してある画像情報から特定して表示する。よって、それぞれの閲覧者に対応する画像情報を予め用意しておくことにより、それぞれの閲覧者に応じた画像の表示が可能となる。
【００２５】
本発明によれば、画像表示装置の表示方向と各表示方向に位置する閲覧者とを対応付けてテーブルに記憶しておき、画像表示装置の表示方向に位置する閲覧者を、テーブルの記憶内容から特定する。よって、テーブルに対する検索処理によって、画像表示装置の表示方向に位置する閲覧者を容易に特定することが可能となる。
【００２６】
本発明によれば、画像表示装置の表示方向に位置する他の画像表示装置を検出し、検出した他の画像表示装置に予め対応付けられている閲覧者を、前記表示方向に位置する閲覧者として検出する。よって、各閲覧者が画像表示装置を使用している状況では、それぞれの画像表示装置を特定することによって、特定した画像表示装置を使用する閲覧者を特定することが可能となる。
【００２７】
本発明によれば、閲覧者のそれぞれに予め機密レベルが設定してあり、画像表示装置の表示方向に位置する閲覧者の機密レベルに応じて、表示させる画像を変更できる。よって、機密レベルに応じて、各閲覧者に提供する情報のセキュリティレベルを変更することが可能となる。
【００２８】
本発明によれば、表示方向が変更された画像表示装置に対して、変更された表示方向に応じた画像情報を伝送する。よって、画像表示装置の表示方向を変更させることにより、表示方向を変更させた画像表示装置に表示される画像を適切に切り替えることが可能となる。
【００２９】
本発明によれば、画像表示装置の表示方向が変更された場合に、変更された表示方向に位置する他の画像表示装置に対して、変更された表示方向に応じた画像情報を伝送する。よって、画像表示装置の表示方向を変更させることにより、変更された表示方向に位置する他の画像表示装置に表示される画像を適切に切り替えることが可能となる。
【００３０】
本発明によれば、画像表示装置の表示方向が変更された場合に、変更された表示方向に位置する他の画像表示装置に対して、変更された表示方向に応じた画像情報と、前記他の画像表示装置の表示方向に応じた画像情報とを伝送する。よって、変更された表示方向に位置する他の画像表示装置において、もともと表示していた画像と、画像表示装置の表示方向が変更されたことによって表示すべき画像との両方の表示が可能となる。
【００３１】
本発明によれば、画像表示装置の表示方向が変更された場合に、変更された表示方向に位置する他の画像表示装置以外の画像表示装置への画像情報の伝送を終了する。よって、特定の閲覧者にのみ提供したい画像の他の閲覧者への不用意な提供を防止することが可能となる。
【発明の効果】
【００３２】
本発明では、例えば、会議等のように画像表示装置の周囲に複数の閲覧者が存在している状況で、画像表示装置の表示画面が特定の閲覧者の方向に向けられた場合に、表示方向を変更された画像表示装置に、変更された表示方向に応じた画像が表示される。よって、例えば、画像表示装置の操作者が、画像表示装置の表示方向を変更することによって、表示方向に存在する閲覧者に対して有用な情報を提供できる。また、画像表示装置の表示画面が特定の閲覧者の方向に向けられた場合に、表示方向を変更された画像表示装置以外の画像表示装置に、変更された表示方向に応じた画像が表示される。よって、例えば、画像表示装置の操作者が、画像表示装置の表示方向を変更することによって、それぞれの画像表示装置に表示される画像を適宜切り替えることができる。
【図面の簡単な説明】
【００３３】
【図１】実施形態１の表示制御システムの構成例を示す模式図である。
【図２】実施形態１の表示制御システムの構成例を示すブロック図である。
【図３】表示画像テーブルの記憶内容を示す模式図である。
【図４】画像表示装置に表示される画像情報を説明するための模式図である。
【図５】画像表示装置に表示される画像情報を説明するための模式図である。
【図６】画像表示装置に表示される画像情報を説明するための模式図である。
【図７】表示制御装置が画像表示装置へ画像情報を伝送する処理の手順を示すフローチャートである。
【図８】実施形態２の表示画像テーブルの記憶内容を示す模式図である。
【図９】表示制御装置が画像表示装置へ画像情報を伝送する処理の手順を示すフローチャートである。
【図１０】表示制御装置が画像表示装置へ画像情報を伝送する処理の手順を示すフローチャートである。
【図１１】表示状況テーブルの記憶内容を示す模式図である。
【図１２】表示制御装置が画像表示装置へ画像情報を伝送する処理の手順を示すフローチャートである。
【図１３】表示制御装置が画像表示装置へ画像情報を伝送する処理の手順を示すフローチャートである。
【図１４】実施形態４の表示制御装置の記憶部に格納されているテーブルの記憶内容を示す模式図である。
【図１５】画像表示装置に表示される画像情報を説明するための模式図である。
【図１６】表示制御装置が画像表示装置へ画像情報を伝送する処理の手順を示すフローチャートである。
【発明を実施するための形態】
【００３４】
以下に、本発明に係る表示制御装置、表示制御システム及びコンピュータプログラムについて、その実施形態を示す図面に基づいて詳述する。
【００３５】
（実施形態１）
以下に、実施形態１に係る表示制御システムについて説明する。図１は実施形態１の表示制御システムの構成例を示す模式図である。本実施形態１の表示制御システム１００は、複数の画像表示装置２，２と、画像表示装置２，２のそれぞれに画像情報を伝送して表示させる表示制御装置１とを備える。表示制御装置１と画像表示装置２，２とは、例えば、ＶＧＡ（Video Graphics Array），ＤＶＩ（Digital Visual Interface）等の規格に従った映像ケーブル１００ａ，１００ａと、ＵＳＢ（Universal Serial Bus）、ＵＡＲＴ（Universal Asynchronous Receiver Transmitter）等の規格に従った汎用ケーブル１００ｂ，１００ｂとを介して接続されている。
【００３６】
画像表示装置２，２は、映像ケーブル１００ａ，１００ａを介して表示制御装置１から伝送されてくる画像情報を取得し、取得した画像情報に基づく画像を画像表示部２２，２２に表示させる。また、画像表示装置２，２は、汎用ケーブル１００ｂ，１００ｂを介して、表示制御装置１との間でデータのやり取りを行なう。
【００３７】
画像表示装置２，２は、画像表示部２２，２２を支持する支持部材２ａ，２ａを有しており、画像表示部２２，２２は、支持部材２ａ，２ａに対して、図１中の矢符で示す方向に回転できるように構成されている。なお、画像表示部２２，２２は、支持部材２ａ，２ａに固定され、支持部材２ａ，２ａと共に回転可能に構成されていてもよい。
【００３８】
また、画像表示装置２，２は、図１中の上側に示した画像表示装置２の状態を、画像表示部２２が正面を向いている状態とし、この状態を基準として、画像表示部２２の回転角度（０°〜３６０°）を検知する回転角度センサ２４（図２参照）を備えている。そして、画像表示装置２，２は、回転角度センサ２４によって検知した回転角度を汎用ケーブル１００ｂを介して表示制御装置１へ伝送する。本実施形態１の表示制御装置１は、画像表示装置２，２から送られてくる回転角度に応じて、画像表示装置２，２に表示させる画像情報を制御する。
【００３９】
図２は実施形態１の表示制御システムの構成例を示すブロック図である。本実施形態１の画像表示装置２は、制御部２０、記憶部２１、画像表示部２２、回転駆動部２３、回転角度センサ２４、操作部２５、通信インタフェース２６等を備える。上述したハードウェア各部は、バスを介して相互に接続されている。
【００４０】
制御部２０は、ＣＰＵ（Central Processing Unit）、ＭＰＵ（Micro Processor Unit）、ＡＳＩＣ（Application Specific Integrated Circuit）、ＦＰＧＡ（Field Programmable Gate Array）、マイクロコンピュータ等である。制御部２０は、上述したようなハードウェア各部を制御すると共に、記憶部２１に格納されている制御プログラムを適宜実行する。
【００４１】
具体的には、制御部２０は、映像インタフェース２６ａが取得した表示制御装置１からの画像情報を画像表示部２２へ伝送する処理、回転角度センサ２４によって検知された画像表示部２２の回転角度を読み取る処理等を行なう。また、制御部２０は、記憶部２１に対してデータを読み書きする処理、汎用インタフェース２６ｂが表示制御装置１へ伝送する各種のデータを各部から取得して汎用インタフェース２６ｂへ伝送する処理等を行なう。
【００４２】
記憶部２１は、ＥＥＰＲＯＭ（Electrically Erasable and Programmable ROM）、フラッシュＲＯＭ、ＨＤＤ（Hard Disk Drive）等である。記憶部２１は、画像表示装置２を動作させるために必要な種々の制御プログラム、制御部２０による制御プログラムの実行時に発生する種々のデータ等を記憶する。また、記憶部２１は、自身の画像表示装置２を識別するための固有の識別情報を記憶する。識別情報としては、例えば、画像表示装置２に割り振られている型番、製品番号等の識別番号、画像表示装置２のユーザによって予め設定された固有の情報等を用いることができる。
【００４３】
画像表示部２２は、ＬＣＤ（Liquid Crystal Display）、ＣＲＴ（Cathode Ray Tube）、ＰＤＰ（Plasma Display Panel）等の表示装置である。画像表示部２２は、映像インタフェース２６ａが表示制御装置１から取得した画像情報を取得し、取得した画像情報に基づいて画像を表示する。
【００４４】
回転駆動部２３は、画像表示部２２を支持部材２ａに対して、図１中の矢符で示す方向に回転させる。なお、本実施形態１では、画像表示装置２のユーザ（閲覧者）が手動で画像表示部２２を回転させることを想定しており、回転駆動部２３は、このようなユーザによる画像表示部２２の回転を補助するものである。しかし、例えば、画像表示装置２を遠隔から操作できるように構成した場合に、ユーザが遠隔から行なった画像表示部２２の回転指示に従って、回転駆動部２３が自動的に画像表示部２２を回転させるようにしてもよい。
【００４５】
回転角度センサ（検知部）２４は、画像表示部２２が画像表示装置２の正面を向いている状態を０°とし、この状態からの画像表示部２２の回転角度を検知する。回転角度センサ２４は、検知した回転角度を制御部２０に通知する。
【００４６】
操作部２５は、電源ボタン、画質を調整するためのキー等、ユーザが画像表示装置２を操作するために必要な操作ボタンを備えている。ユーザにより各操作ボタンが操作された場合、操作部２５は操作された操作ボタンに対応した制御信号を制御部２０へ送出し、制御部２０は操作部２５から取得した制御信号に対応した処理を実行する。なお、画像表示装置２が、表示制御装置１から伝送されてくる画像情報を画像表示部２２に表示させる動作のみを行なう構成であれば、複雑な操作機構は必要ない。一方、画像表示装置２が複雑な動作を行なう構成であれば、例えば、マウス、キーボード、タブレット等のように、画像表示装置２が備えるユーザインタフェースを利用できる機構を備えてもよい。
【００４７】
通信インタフェース（出力部）２６は、映像インタフェース２６ａ及び汎用インタフェース２６ｂを備える。映像インタフェース２６ａは、映像ケーブル１００ａに接続するためのインタフェースであり、映像ケーブル１００ａを介して表示制御装置１から画像情報を取得する。汎用インタフェース２６ｂは、汎用ケーブル１００ｂに接続するためのインタフェースであり、汎用ケーブル１００ｂを介して表示制御装置１との間でデータのやり取りを行なう。汎用インタフェース２６ｂは、例えば、記憶部２１に記憶されている画像表示装置２の識別情報、回転角度センサ２４が検知した画像表示部２２の回転角度等を表示制御装置１へ送出する。
【００４８】
一方、表示制御装置１は、制御部１０、記憶部１１、通信インタフェース１２等を備える。上述したハードウェア各部は、バスを介して相互に接続されている。
制御部１０は、ＣＰＵ、ＭＰＵ、ＡＳＩＣ、ＦＰＧＡ、マイクロコンピュータ等であり、上述したようなハードウェア各部を制御すると共に、記憶部１１に格納されている制御プログラムを適宜実行する。
【００４９】
具体的には、制御部１０は、画像表示装置２，２から伝送されてくる識別情報及び回転角度を汎用インタフェース１２ｂによって取得する処理、画像表示装置２，２のそれぞれへ伝送する画像情報を決定する処理、決定した画像情報を映像インタフェース１２ａから画像表示装置２，２のそれぞれへ伝送する処理等を行なう。
【００５０】
記憶部１１は、ＥＥＰＲＯＭ、フラッシュＲＯＭ、ＨＤＤ等である。記憶部１１は、本実施形態１の表示制御装置１を、本発明の表示制御装置として動作させるために必要な種々の制御プログラム、制御部１０による制御プログラムの実行時に発生する種々のデータ等を記憶する。また、記憶部１１は、画像表示装置２，２へ伝送するための複数の画像情報、図３に示すような表示画像テーブル１１ａ、画像表示装置２，２に関する情報である表示装置情報１１ｂ等を記憶する。
【００５１】
通信インタフェース１２は、映像インタフェース１２ａ及び汎用インタフェース１２ｂを備える。映像インタフェース１２ａは、映像ケーブル１００ａに接続するためのインタフェースであり、映像ケーブル１００ａを介して画像表示装置２へ画像情報を伝送する。汎用インタフェース１２ｂは、汎用ケーブル１００ｂに接続するためのインタフェースであり、汎用ケーブル１００ｂを介して画像表示装置２との間でデータのやり取りを行なう。
【００５２】
表示制御装置１は、上述した構成のほかに更に、表示制御装置１を操作するための操作部、表示制御装置１による処理結果を表示するための表示部を備えてもよい。この場合、表示制御装置１のユーザは、操作部及び表示部を用いて、記憶部１１に記憶される画像情報、表示画像テーブル１１ａの記憶内容、表示装置情報１１ｂの記憶内容等を容易に変更できる。
【００５３】
図３は表示画像テーブル１１ａの記憶内容を示す模式図である。表示画像テーブル１１ａには、画像表示装置２，２の識別情報に対応付けて、画像表示装置２，２の回転角度、伝送先装置の識別情報、表示画像情報等が格納されている。なお、図３には、識別情報が「表示装置α」である画像表示装置２に対する表示画像テーブル１１ａを示している。しかし、記憶部１１は、表示画像テーブル１１ａだけでなく、表示制御システム１００を構成する全ての画像表示装置２，２に対する表示画像テーブルも記憶している。
【００５４】
表示画像テーブル１１ａ中の識別情報は、画像表示装置２，２を識別するための情報であり、例えば、画像表示装置２，２の記憶部２１に記憶されている識別情報である。なお、識別情報は、表示制御装置１のユーザが、画像表示装置２，２を識別するために任意に設定した情報でもよい。
【００５５】
回転角度は、画像表示装置２，２の画像表示部２２の回転角度である。なお、本実施形態１では、画像表示装置２，２が電源を投入されて起動した時点での画像表示部２２の向き（表示方向）を基準の方向とし、このときの回転角度を０°とする。しかし、例えば、所定方向を基準とした、画像表示装置２，２の画像表示部２２の向きを、画像表示装置２，２の回転角度としてもよい。また、回転角度として、０°、１３５°、１８０°、２２５°を設定しているが、表示制御システム１００の利用形態に応じて適宜の角度に設定すればよい。
【００５６】
伝送先装置の識別情報及び表示画像情報は、対応する識別情報で識別される画像表示装置２が、対応する回転角度に回転した場合に、それぞれの画像表示装置２，２に伝送すべき画像情報を示す。なお、伝送先装置の識別情報も、画像表示装置２，２を識別するための情報であり、例えば、画像表示装置２，２の記憶部２１に記憶されている識別情報である。
【００５７】
本実施形態１の表示制御装置１では、デフォルトモード、デュアル表示モード、コンフィデンシャル表示モードの３つの表示モードの設定が可能である。従って、表示画像テーブル１１ａには、それぞれの表示モード毎に、それぞれの画像表示装置２，２に伝送すべき画像情報が登録してある。なお、表示モードは、これらの３つのモードに限らず、表示制御システム１００の利用形態に応じた数及び種類を設定すればよい。また、表示画像情報は、画像情報そのものである必要はなく、記憶部１１に格納してある画像情報を特定できる情報であればよく、また、記憶部１１の記憶領域を特定する情報でもよい。表示画像テーブル１１ａは、表示制御装置１によって画像表示装置２，２に表示させる画像情報の制御を行なう際に、表示制御装置１のユーザによって作成され、制御部１０によって登録又は更新される。
【００５８】
図示しないが、表示装置情報１１ｂには、画像表示装置２，２のそれぞれについて、識別情報、割り当てられたアドレス情報等が格納されている。なお、表示装置情報１１ｂには、このほかに、画像表示装置２，２を割り当てられたユーザ（閲覧者）の識別情報等が格納されていてもよい。表示装置情報１１ｂの格納内容は、表示制御装置１によって新たな画像表示装置２に対する制御を開始する際に、表示制御装置１のユーザによって入力され、制御部１０によって登録又は更新される。
【００５９】
以下に、上述した構成の表示制御システム１００を、１人の発表者と複数人の参加者（閲覧者）とで行なわれる会議に利用する会議システムに適用した場合に、表示制御装置１及び画像表示装置２，２が行なう処理について説明する。発表者又は会議の主催者は、会議の開始前に、表示制御装置１の記憶部１１に表示画像テーブル１１ａ及び表示装置情報１１ｂを登録し、画像表示装置２，２のそれぞれを所定の位置に設置しておく。また、発表者又は会議の主催者は、会議が開始する際に、表示制御装置１及び画像表示装置２，２に電源を投入して起動させる。
【００６０】
起動処理が完了した画像表示装置２，２の制御部２０は、回転角度センサ２４によって検知した回転角度を、記憶部２１に記憶してある識別情報と共に表示制御装置１へ通知する。なお、本実施形態１では、画像表示装置２，２の回転角度は、起動した時点での画像表示部２２の向きを基準とし、このときの回転角度を０°としているので、ここで、画像表示装置２，２から表示制御装置１に通知される回転角度は全て０°となる。また、制御部２０は、回転角度センサ２４によって検知した回転角度を通知する際に、回転角度を示す情報であれば、回転角度そのものを表示制御装置１へ通知する必要はない。
【００６１】
起動処理が完了した表示制御装置１の制御部１０は、画像表示装置２，２のそれぞれから取得した回転角度に基づいて、画像表示装置２，２のそれぞれへ伝送すべき画像情報を選択する。具体的には、制御部１０は、いずれかの画像表示装置２から取得した識別情報に基づいて、この画像表示装置２に対応する表示画像テーブル１１ａを記憶部１１から読み出す。また、制御部１０は、デフォルトモード、デュアル表示モード、コンフィデンシャル表示モードのいずれが設定されているかを判断する。そして、制御部１０は、読み出した表示画像テーブル１１ａから、取得した回転角度と、現在設定されているモードとに基づいて、伝送先の画像表示装置２，２の識別情報と、画像表示装置２，２のそれぞれに伝送すべき表示画像情報とを読み出す。
【００６２】
そして、表示制御装置１の制御部１０は、表示画像テーブル１１ａから読み出した伝送先装置の識別情報が示す画像表示装置２，２へ、表示画像テーブル１１ａから読み出した表示画像情報を伝送する。なお、制御部１０は、表示画像テーブル１１ａから読み出した伝送先装置の識別情報に基づいて、伝送先の画像表示装置２のアドレス情報を表示装置情報１１ｂから読み出し、このアドレス情報を用いて画像情報を伝送すればよい。また、表示制御装置１は、画像表示装置２，２の起動直後は、画像表示装置２，２の回転角度（表示方向）に基づいて画像情報を選択するのではなく、予め登録されている画像情報を画像表示装置２，２のそれぞれに伝送するようにしてもよい。
【００６３】
上述したように表示制御装置１が伝送した画像情報を画像表示装置２，２のそれぞれが取得して画像表示部２２に表示させることにより、画像表示装置２，２のそれぞれに対して予め登録されていた画像を表示させることができる。画像表示装置２，２の制御部２０は、表示制御装置１から伝送されてくる画像情報を取得して画像表示部２２に表示させると共に、回転角度センサ２４が検知する回転角度に基づいて、画像表示部２２の表示方向が変更されたか否かを判断している。制御部２０は、画像表示部２２の表示方向が変更されたことを検出した場合、回転角度センサ２４によって検知した回転角度を、記憶部２１に記憶してある識別情報と共に表示制御装置１へ通知する。
【００６４】
画像表示装置２，２へ画像情報の伝送を開始している表示制御装置１の制御部（方向取得部）１０は、画像表示部２２の表示方向が変更された画像表示装置２から回転角度を取得する。そして、制御部１０は、取得した回転角度に基づいて、画像表示装置２，２のそれぞれへ伝送すべき画像情報を選択する。具体的には、制御部１０は、いずれかの画像表示装置２から取得した識別情報に基づいて、この画像表示装置２に対応する表示画像テーブル１１ａを記憶部１１から読み出す。また、制御部１０は、デフォルトモード、デュアル表示モード、コンフィデンシャル表示モードのいずれが設定されているかを判断する。そして、制御部（画像特定部）１０は、読み出した表示画像テーブル１１ａから、取得した回転角度と、現在設定されているモードとに基づいて、伝送先の画像表示装置２，２の識別情報と、画像表示装置２，２のそれぞれに伝送すべき表示画像情報とを読み出す。
【００６５】
そして、表示制御装置１の制御部（伝送部）１０は、表示画像テーブル１１ａから読み出した伝送先装置の識別情報が示す画像表示装置２，２へ、表示画像テーブル１１ａから読み出した表示画像情報を伝送する。画像表示装置２，２は、表示制御装置１が伝送した画像情報を画像表示部２２に表示させる。これにより、いずれかの画像表示装置２の表示方向が変更された場合に、変更された表示方向に応じて予め登録されている画像を画像表示装置２，２のそれぞれに表示させることができる。
【００６６】
図４乃至図６は画像表示装置２，２に表示される画像情報を説明するための模式図である。なお、図４はデフォルトモードが設定されている場合の例を、図５はデュアル表示モードが設定されている場合の例を、図６はコンフィデンシャル表示モードが設定されている場合の例をそれぞれ示す。図４（ａ）乃至図６（ｄ）のそれぞれは、識別情報が表示装置α，β，γ，δの４つの画像表示装置２，２を４人の閲覧者が向かい合う状態で使用している状況を真上から見た図を示す。また、初期状態では、図４（ａ）、図５（ａ）、図６（ａ）に示すように、表示装置αの画像表示装置２の表示方向は右方向であり、表示装置βの画像表示装置２の表示方向は上方向であり、表示装置γの画像表示装置２の表示方向は左方向であり、表示装置δの画像表示装置２の表示方向は下方向である。なお、以下では、識別情報が表示装置α，β，γ，δの画像表示装置２，２をそれぞれ画像表示装置α，β，γ，δと呼ぶ。
【００６７】
図４乃至図６では、会議の発表者が画像表示装置αを使用し、３人の参加者が画像表示装置β，γ，δのいずれかを使用しているとする。また、図４乃至図６には、発表者が使用する画像表示装置αの表示方向が変更された場合に画像表示装置α，β，γ，δのそれぞれに表示される画像情報を示す。なお、図４（ａ）乃至図６（ｄ）のそれぞれには、右上に画像表示装置αの表示画像情報を、左上に画像表示装置βの表示画像情報を、左下に画像表示装置γの表示画像情報を、右下に画像表示装置δの表示画像情報をそれぞれ示す。
【００６８】
まず、デフォルトモードが設定されている場合について説明する。図４（ａ）には、４つの画像表示装置α，β，γ，δにそれぞれ異なる画像が表示されている状態を示している。図３の表示画像テーブル１１ａに示すように、画像表示装置αにおいて、回転角度が０°のときのデフォルトモードでの表示画像情報はimage1である。従って、図４（ａ）に示すように、初期状態では、画像表示装置αにはimage1の画像が表示されている。なお、他の画像表示装置β，γ，δについては、表示画像テーブル１１ａの図示を省略しているが、同様の処理によって、image2,image3,image4の画像がそれぞれ表示される。
【００６９】
図４（ａ）に示した状態から、画像表示装置αの表示方向が、図４（ｂ）に示すように、画像表示装置βの方に変更された場合、画像表示装置αの制御部２０は、回転角度センサ２４によって回転角度１３５°を検知する。制御部２０は、検知した１３５°を、記憶部２１に記憶してある識別情報と共に表示制御装置１へ通知する。表示制御装置１の制御部１０は、画像表示装置αから、画像表示装置αの識別情報及び回転角度１３５°を取得する。
【００７０】
表示制御装置１の制御部１０は、取得した識別情報に対応する表示画像テーブル１１ａを記憶部１１から読み出し、現在設定されているモードがデフォルトモードであると判断する。そして、制御部１０は、読み出した表示画像テーブル１１ａから、取得した回転角度と、現在設定されているデフォルトモードとに基づいて、伝送先の画像表示装置α，β，γ，δの識別情報と、画像表示装置α，β，γ，δのそれぞれに伝送すべき表示画像情報とを読み出す。
【００７１】
制御部１０は、表示画像テーブル１１ａから読み出した伝送先装置の識別情報が示す画像表示装置α，β，γ，δへ、表示画像テーブル１１ａから読み出した表示画像情報を伝送する。なお、ここでは、画像表示装置α，β，γ，δへは、image1,image1,image3,image4の画像情報がそれぞれ伝送される。即ち、図４（ａ）に示した状態から図４（ｂ）に示した状態に変更された場合、画像表示装置βに表示される画像情報がimage2の画像からimage1の画像に変更される。これにより、発表者が、自身が使用する画像表示装置αを画像表示装置βの方へ向けることにより、画像表示装置βに、画像表示装置αに表示されている画像と同一の画像を表示させることができる。よって、画像表示装置γ，δの閲覧者には見られることなく、画像表示装置βの閲覧者にのみ必要な画像を提供することができる。
【００７２】
同様にして、画像表示装置αの表示方向が、図４（ｃ）に示すように画像表示装置γの方に変更された場合、表示制御装置１の制御部１０は、画像表示装置α，β，γ，δへ、image1,image2,image1,image4の画像情報をそれぞれ伝送する。即ち、図４（ａ）に示した状態から図４（ｃ）に示した状態に変更された場合、画像表示装置γに表示される画像情報がimage3の画像からimage1の画像に変更される。
【００７３】
また、画像表示装置αの表示方向が、図４（ｄ）に示すように画像表示装置δの方に変更された場合、表示制御装置１の制御部１０は、画像表示装置α，β，γ，δへ、image1,image2,image3,image1の画像情報をそれぞれ伝送する。即ち、図４（ａ）に示した状態から図４（ｄ）に示した状態に変更された場合、画像表示装置δに表示される画像情報がimage4の画像からimage1の画像に変更される。
【００７４】
次に、デュアル表示モードが設定されている場合について説明する。図５（ａ）には、画像表示装置α，β，γ，δにそれぞれ異なる画像が表示されている状態を示しており、デュアル表示モードの場合も、画像表示装置α，β，γ，δにはそれぞれimage1, image2,image3,image4の画像が表示されている。図５（ａ）に示した状態で、画像表示装置αの表示方向が、図５（ｂ）に示すように画像表示装置βの方に変更された場合、画像表示装置αの制御部２０は、回転角度センサ２４によって回転角度１３５°を検知する。制御部２０は、検知した１３５°を、記憶部２１に記憶してある識別情報と共に表示制御装置１へ通知する。表示制御装置１の制御部１０は、画像表示装置αから、画像表示装置αの識別情報及び回転角度１３５°を取得する。
【００７５】
表示制御装置１の制御部１０は、取得した識別情報に対応する表示画像テーブル１１ａを記憶部１１から読み出し、現在設定されているモードがデュアル表示モードであると判断する。そして、制御部１０は、読み出した表示画像テーブル１１ａから、取得した回転角度と、現在設定されているデュアル表示モードとに基づいて、伝送先の画像表示装置α，β，γ，δの識別情報と、画像表示装置α，β，γ，δのそれぞれに伝送すべき表示画像情報とを読み出す。
【００７６】
制御部１０は、表示画像テーブル１１ａから読み出した伝送先装置の識別情報が示す画像表示装置α，β，γ，δへ、表示画像テーブル１１ａから読み出した表示画像情報を伝送する。なお、デュアル表示モードの場合、画像表示装置αの表示方向に位置する画像表示装置βには、画像表示装置αに表示されていたimage1の画像と、画像表示装置βに表示されていたimage2の画像とを表示させるように設定されている。従って、制御部１０は、image1の画像情報とimage2の画像情報とを合成して１つの画像情報を生成する。そして、制御部１０は、画像表示装置α，γ，δへ、image1,image3,image4の画像情報をそれぞれ伝送し、画像表示装置βへ、image1及びimage2の合成画像情報を伝送する。
【００７７】
即ち、図５（ａ）に示した状態から図５（ｂ）に示した状態に変更された場合、画像表示装置βに表示される画像情報がimage2の画像から、image1及びimage2の合成画像に変更される。これにより、発表者が、自身が使用する画像表示装置αを画像表示装置βの方へ向けることにより、画像表示装置βに、画像表示装置αに表示されている画像と同一の画像と、元々画像表示装置βに表示されていた画像とを表示させることができる。よって、画像表示装置γ，δの閲覧者には見られることなく、画像表示装置βの閲覧者にのみ必要な画像を提供することができると共に、元々画像表示装置βの閲覧者に提供していた画像の提供も継続できる。また、画像表示装置βに２つの画像を表示させることによって、画像表示装置βの閲覧者は、２つの画像の比較が可能となる。
【００７８】
同様にして、画像表示装置αの表示方向が、図５（ｃ）に示すように画像表示装置γの方に変更された場合、表示制御装置１の制御部１０は、画像表示装置α，β，δへ、image1,image2,image4の画像情報をそれぞれ伝送し、画像表示装置γへ、image1及びimage3の合成画像情報を伝送する。即ち、図５（ａ）に示した状態から図５（ｃ）に示した状態に変更された場合、画像表示装置γに表示される画像情報がimage3の画像から、image1及びimage3の合成画像に変更される。
【００７９】
また、画像表示装置αの表示方向が、図５（ｄ）に示すように画像表示装置δの方に変更された場合、表示制御装置１の制御部１０は、画像表示装置α，β，γへ、image1,image2,image3の画像情報をそれぞれ伝送し、画像表示装置δへ、image1及びimage4の合成画像情報を伝送する。即ち、図５（ａ）に示した状態から図５（ｄ）に示した状態に変更された場合、画像表示装置δに表示される画像情報がimage4の画像から、image1及びimage4の合成画像に変更される。
【００８０】
次に、コンフィデンシャル表示モードが設定されている場合について説明する。図６（ａ）には、画像表示装置α，β，γ，δにそれぞれ異なる画像が表示されている状態を示しており、コンフィデンシャル表示モードの場合も、画像表示装置α，β，γ，δにはそれぞれimage1, image2,image3,image4の画像が表示されている。図６（ａ）に示した状態で、画像表示装置αの表示方向が、図６（ｂ）に示すように画像表示装置βの方に変更された場合、画像表示装置αの制御部２０は、回転角度センサ２４によって回転角度１３５°を検知する。制御部２０は、検知した１３５°を、記憶部２１に記憶してある識別情報と共に表示制御装置１へ通知する。表示制御装置１の制御部１０は、画像表示装置αから、画像表示装置αの識別情報及び回転角度１３５°を取得する。
【００８１】
表示制御装置１の制御部１０は、取得した識別情報に対応する表示画像テーブル１１ａを記憶部１１から読み出し、現在設定されているモードがコンフィデンシャル表示モードであると判断する。そして、制御部１０は、読み出した表示画像テーブル１１ａから、取得した回転角度と、現在設定されているコンフィデンシャル表示モードとに基づいて、伝送先の画像表示装置α，β，γ，δの識別情報と、画像表示装置α，β，γ，δのそれぞれに伝送すべき表示画像情報とを読み出す。
【００８２】
制御部１０は、表示画像テーブル１１ａから読み出した伝送先装置の識別情報が示す画像表示装置α，β，γ，δへ、表示画像テーブル１１ａから読み出した表示画像情報を伝送する。なお、コンフィデンシャル表示モードの場合、画像表示装置αの表示方向に位置する画像表示装置βには、画像表示装置αに表示されていたimage1の画像を表示させ、その他の画像表示装置α，γ，δには何も表示させないように設定されている。従って、制御部１０は、画像表示装置βのみへ、image1の画像情報を伝送する。
【００８３】
即ち、図６（ａ）に示した状態から図６（ｂ）に示した状態に変更された場合、画像表示装置βに表示される画像情報がimage2の画像からimage1の画像に変更され、他の画像表示装置α，γ，δに対する画像の表示が停止される。これにより、発表者が、自身が使用する画像表示装置αを画像表示装置βの方へ向けることにより、画像表示装置βに、画像表示装置αに表示されている画像と同一の画像を表示させ、他の画像表示装置α，γ，δへの画像の表示を停止させることができる。
【００８４】
よって、画像表示装置βの閲覧者には必要な画像を提供することができると共に、他の画像表示装置α，γ，δの閲覧者に対する不要な画像の提供を防止できる。また、例えば、全ての画像表示装置α，β，γ，δに同一の画像を表示させている状態で、画像表示装置αの使用者（発表者）が特定の参加者（閲覧者）にのみ機密情報を提供したい場合に、特定の参加者が使用する画像表示装置β，γ，δのいずれかの方に画像表示装置αを向けることによって、向けられた画像表示装置のみに機密情報を表示させることができる。
【００８５】
なお、ここでは、画像表示装置αを画像表示装置βの方へ向けた場合に、画像表示装置αに表示されていた画像と同一の画像を画像表示装置βに表示させる構成であるが、異なる画像情報を画像表示装置βに表示させてもよい。その場合、画像表示装置αを向けられた画像表示装置２に表示させるべき画像情報を記憶部１１に予め登録しておけばよい。
【００８６】
同様にして、画像表示装置αの表示方向が、図６（ｃ）に示すように画像表示装置γの方に変更された場合、表示制御装置１の制御部１０は、画像表示装置γへimage1の画像情報を伝送し、画像表示装置α，β，δへの画像情報の伝送を停止する。即ち、図６（ａ）に示した状態から図６（ｃ）に示した状態に変更された場合、画像表示装置γに表示される画像情報がimage3の画像からimage1の画像に変更され、画像表示装置α，β，δでの画像表示は停止する。
【００８７】
また、画像表示装置αの表示方向が、図６（ｄ）に示すように画像表示装置δの方に変更された場合、表示制御装置１の制御部１０は、画像表示装置δへimage1の画像情報を伝送し、画像表示装置α，β，γへの画像情報の伝送を停止する。即ち、図６（ａ）に示した状態から図６（ｄ）に示した状態に変更された場合、画像表示装置δに表示される画像情報がimage4の画像からimage1の画像に変更され、画像表示装置α，β，δでの画像表示は停止する。
【００８８】
以下に、表示制御装置１の制御部１０が、画像表示装置２，２のそれぞれへ画像情報を伝送する際に行なう処理について説明する。図７は表示制御装置１が画像表示装置２，２へ画像情報を伝送する処理の手順を示すフローチャートである。なお、以下の処理は、表示制御装置１の制御部１０によって実行されると共に、画像表示装置２，２の制御部２０によって実行される。また、図７では、一点鎖線で区切った２つの領域において、左側の領域に表示制御装置１の制御部１０による処理を、右側の領域に画像表示装置２，２の制御部２０による処理をそれぞれ示している。
【００８９】
電源が投入されて起動処理が完了した画像表示装置２，２の制御部２０は、回転角度センサ２４によって回転角度を検知する（Ｓ１）。回転角度を検知した制御部２０は、記憶部２１に記憶してある識別情報を読み出し、検知した回転角度を、読み出した識別情報と共に表示制御装置１へ送信する（Ｓ２）。一方、電源が投入されて起動処理が完了した表示制御装置１の制御部１０は、画像表示装置２，２から送信されてくる回転角度の受信待ち状態となっており、画像表示装置２，２から回転角度を受信したか否かを判断している（Ｓ３）。
【００９０】
回転角度を受信したと判断した場合（Ｓ３：ＹＥＳ）、制御部１０は、回転角度を送信してきた画像表示装置２を特定する（Ｓ４）。なお、制御部１０は、受信した情報から識別情報を抽出することによって、送信元の画像表示装置２を特定する。制御部１０は、表示制御装置１に設定されている表示モードを特定する（Ｓ５）。なお、表示制御装置１に表示モードが設定された場合、設定された表示モードを示す情報が記憶部１１の所定領域に格納される。従って、制御部１０は、記憶部１１の所定領域に格納されている情報に基づいて、現在設定されている表示モードを特定する。
【００９１】
制御部１０は、ステップＳ４で特定した送信元の画像表示装置２、送信元の画像表示装置２から受信した回転角度、ステップＳ５で特定した表示モードに基づいて画像表示装置２，２のそれぞれに送信する画像情報を特定する（Ｓ６）。ここでは、制御部１０は、まず、ステップＳ４で特定した送信元の画像表示装置２に対応する表示画像テーブル１１ａを記憶部１１から読み出す。次に、制御部１０は、読み出した表示画像テーブル１１ａから、送信元の画像表示装置２から受信した回転角度と、ステップＳ５で特定した表示モードとに対応して画像表示装置２，２のそれぞれに送信すべき画像情報を読み出す。
【００９２】
制御部１０は、表示画像テーブル１１ａから読み出した画像情報を、それぞれ対応する画像表示装置２，２に送信する（Ｓ７）。なお、表示制御装置１は、画像表示装置２，２の起動直後は、上述したように画像表示装置２，２の回転角度に基づいて、画像表示装置２，２へ送信すべき画像情報を選択するのではなく、予め登録されている画像情報を画像表示装置２，２のそれぞれに送信するようにしてもよい。
【００９３】
画像表示装置２，２へ画像情報の送信を開始した表示制御装置１の制御部１０は、例えば表示制御装置１のユーザが操作部（図示せず）を操作することによって処理の終了が指示されたか否かを判断している（Ｓ８）。処理の終了が指示されていないと判断した場合（Ｓ８：ＮＯ）、制御部１０は、ステップＳ３へ処理を戻し、画像表示装置２，２のいずれかから回転角度を受信したか否かを判断する（Ｓ３）。
【００９４】
一方、表示制御装置１から画像情報を受信した画像表示装置２の制御部２０は、受信した画像情報に基づいて画像表示部２２に画像を表示させる（Ｓ９）。また、制御部２０は、回転角度センサ２４が検知する回転角度に基づいて、画像表示部２２の表示方向が変更されたか否かを判断している（Ｓ１０）。画像表示部２２の表示方向が変更されていないと判断した場合（Ｓ１０：ＮＯ）、制御部２０は、ステップＳ９へ処理を戻し、表示制御装置１から送信されてくる画像情報を順次受信して画像表示部２２に表示させる。
【００９５】
画像表示部２２の表示方向が変更されたと判断した場合（Ｓ１０：ＹＥＳ）、画像表示装置２の制御部２０は、ステップＳ１へ処理を戻し、回転角度センサ２４によって回転角度を検知する（Ｓ１）。制御部２０は、検知した回転角度を、記憶部２１に記憶してある識別情報と共に表示制御装置１へ送信する（Ｓ２）。表示制御装置１の制御部１０は、画像表示装置２から送信された回転角度を受信した場合（Ｓ３：ＹＥＳ）、以降のステップＳ４〜Ｓ８の処理を繰り返す。これにより、画像表示装置２，２の表示方向が変更される都度、変更された表示方向に応じて、画像表示装置２，２のそれぞれに表示させる画像を変更させることができる。
【００９６】
一方、表示制御装置１の制御部１０は、画像表示装置２から送信された回転角度を受信していないと判断した場合（Ｓ３：ＮＯ）、ステップＳ７へ処理を移行する。そして、制御部１０は、ステップＳ６で既に特定してある画像情報を、それぞれ対応する画像表示装置２，２に送信する（Ｓ７）。制御部１０は、処理の終了が指示されるまで、上述した処理を繰り返し、処理の終了が指示されたと判断した場合（Ｓ８：ＹＥＳ）、処理を終了する。
【００９７】
上述したように、表示制御装置１から伝送されてくる画像情報に基づいて画像を表示している画像表示装置α，β，γ，δは、表示方向が変更された場合に、変更された表示方向を表示制御装置１に通知する。そして、表示制御装置１は、それぞれの画像表示装置α，β，γ，δから通知された表示方向（回転角度）と、現在設定されている表示モードとに応じて、それぞれの画像表示装置α，β，γ，δへ伝送すべき画像情報を変更させる。よって、画像表示装置２，２の閲覧者は、自身が使用中の画像表示装置２を他の閲覧者が使用中の画像表示装置２の方に向けることによって、他の閲覧者が使用中の画像表示装置２に所望の情報を表示させることができ、他の閲覧者に所望の情報を提供できる。
【００９８】
上述した実施形態１では、画像表示装置２，２の制御部２０が、回転角度センサ２４によって、画像表示部２２の表示方向として０°、１３５°、１８０°、２２５°の回転角度を検知する例について説明した。しかし、画像表示部２２は完全に０°、１３５°、１８０°、２２５°の方向に回転させられるとは限らない。従って、表示制御装置１が画像表示装置２から取得した回転角度が、表示画像テーブル１１ａに格納してある回転角度に一致しない場合が有り得る。この場合、制御部１０は、表示画像テーブル１１ａに格納してある回転角度のうちで、画像表示装置２から取得した回転角度に最も近い回転角度を、画像表示装置２の表示方向として処理すればよい。
【００９９】
具体的には、表示制御装置１の制御部１０は、画像表示装置２から１２０°の回転角度を通知された場合、１２０°に最も近い１３５°が画像表示装置２の回転角度とする。そして、制御部１０は、１３５°の回転角度に応じた画像情報を、画像表示装置２，２へ送信すべき画像情報として表示画像テーブル１１ａから選択すればよい。
【０１００】
上述した実施形態１の表示制御装置１は、デュアル表示モードの設定時に、例えば、画像表示装置αが画像表示装置βの方に向けられた場合、画像表示装置αに表示中の画像と、画像表示装置βに表示中の画像とを合成した合成画像を画像表示装置βに表示させる構成であった。このような構成のほかに、２つの画像の合成処理を画像表示装置２で実行する構成でもよい。具体的には、表示制御装置１は、画像表示装置αに伝送中の画像と、画像表示装置βに伝送中の画像とを画像表示装置βに伝送し、画像表示装置βが、受信した２つの画像を合成して画像表示部２２に表示させてもよい。この場合、表示制御装置１による処理負担が軽減できる。
【０１０１】
また、表示制御装置１がいずれかの画像表示装置２に画像情報を伝送しようとした場合に、画像表示装置２においてユーザによる操作中であった場合に、デュアル表示モードを起動させて、２つの画像を画像表示装置２に表示させるようにしてもよい。これにより、画像表示装置βにおいてユーザが操作中であるにもかかわらず、画像表示装置αの表示方向が変更されることによって画像表示装置βの表示画像が変更されることを防止できる。
【０１０２】
（実施形態２）
以下に、実施形態２に係る表示制御システムについて説明する。本実施形態２の表示制御システムは、上述した実施形態１の表示制御システム１００と同様の構成によって実現できるので、構成についての説明を省略する。
【０１０３】
上述した実施形態１では、図３に示すように表示画像テーブル１１ａに、それぞれの画像表示装置２，２の回転角度に応じてそれぞれの画像表示装置２，２へ伝送すべき画像情報が登録されていた。このような表示画像テーブル１１ａを用いて、表示制御装置１は、画像表示装置２，２のいずれかの表示方向が変更された場合に、それぞれの画像表示装置２，２へ伝送すべき画像情報を適宜変更していた。
【０１０４】
本実施形態２の表示制御装置１は、複数の画像表示装置２，２に表示させる画像を画像表示装置２，２毎に記憶部１１に格納しておき、画像表示装置２，２の起動後に、記憶部１１に格納してある画像を画像表示装置２，２へ送信して表示させる構成とする。また、本実施形態２の表示制御装置１も、デフォルトモード、デュアル表示モード、コンフィデンシャル表示モードのいずれかの表示モードの設定が可能とする。
【０１０５】
そして、本実施形態２の表示制御装置１は、デフォルトモードの設定時に、画像表示装置２，２のいずれかの表示方向が変更された場合、変更された表示方向に位置する他の画像表示装置２に、表示方向が変更された画像表示装置２に表示していた画像を表示させる。また、本実施形態２の表示制御装置１は、デュアル表示モードの設定時に、画像表示装置２，２のいずれかの表示方向が変更された場合、変更された表示方向に位置する他の画像表示装置２に、この画像表示装置２に表示していた画像と、表示方向が変更された画像表示装置２に表示していた画像とを両方表示させる。更に、本実施形態２の表示制御装置１は、コンフィデンシャル表示モードの設定時に、画像表示装置２，２のいずれかの表示方向が変更された場合、変更された表示方向に位置する他の画像表示装置２に、表示方向が変更された画像表示装置２に表示していた画像を表示させ、他の画像表示装置２，２への画像の表示を停止する。
【０１０６】
図８は実施形態２の表示画像テーブル１１ａの記憶内容を示す模式図である。実施形態２の表示画像テーブル１１ａには、画像表示装置２，２の識別情報に対応付けて、画像表示装置２，２の回転角度、伝送先装置の識別情報等が格納されている。表示画像テーブル１１ａ中の画像表示装置２，２の識別情報及び回転角度は、実施形態１で説明した情報と同様である。なお、伝送先の画像表示装置２の識別情報は、それぞれの識別情報の画像表示装置２，２をそれぞれの回転角度に回転させた場合に、画像表示部２２の表示方向に位置する画像表示装置２，２の識別情報である。即ち、画像表示装置αを１３５°回転させた場合、画像表示装置αの表示方向に画像表示装置βが位置することになる。
【０１０７】
以下に、本実施形態２の表示制御システム１００を、１人の発表者と複数人の参加者（閲覧者）とで行なわれる会議に利用する会議システムに適用した場合に、表示制御装置１及び画像表示装置２，２が行なう処理について説明する。起動処理が完了した表示制御装置１の制御部１０は、画像表示装置２，２に伝送すべき画像として記憶部１１に記憶してある画像情報を読み出し、読み出した画像情報をそれぞれ対応する画像表示装置２，２へ伝送する。
【０１０８】
起動処理が完了した画像表示装置２，２の制御部２０は、表示制御装置１から伝送されてきた画像情報を画像表示部２２に表示させることによって、画面の表示を開始する。表示制御装置１から伝送されてくる画像情報の表示を行なう画像表示装置２，２の制御部２０は、回転角度センサ２４が検知する回転角度に基づいて、画像表示部２２の表示方向が変更されたか否かを判断する。制御部２０は、画像表示部２２の表示方向が変更されたことを検出した場合、回転角度センサ２４によって検知した回転角度を、記憶部２１に記憶してある識別情報と共に表示制御装置１へ通知する。
【０１０９】
画像表示装置２，２へ画像情報の伝送を開始している表示制御装置１の制御部１０は、画像表示部２２の表示方向が変更された画像表示装置２から回転角度を取得する。制御部１０は、画像表示装置２から識別情報及び回転角度を取得した場合、画像表示装置２，２へ伝送する画像情報を変更すべきであるか否かを判断し、必要に応じて画像表示装置２，２へ伝送する画像情報を変更する。
【０１１０】
具体的には、表示制御装置１の制御部１０は、いずれかの画像表示装置２の識別情報及び回転角度を取得した場合、取得した識別情報に基づいて、識別情報及び回転角度を送信してきた画像表示装置２（送信元の画像表示装置２）を特定する。また、制御部１０は、図８に示す表示画像テーブル１１ａから、特定した送信元の画像表示装置２の識別情報及び回転角度に対応する伝送先の画像表示装置２の識別情報を読み出す。更に、制御部１０は、デフォルトモード、デュアル表示モード、コンフィデンシャル表示モードのいずれが設定されているかを判断する。
【０１１１】
デフォルトモードが設定されていると判断した場合、制御部１０は、表示画像テーブル１１ａから読み出した伝送先装置の識別情報が示す伝送先の画像表示装置２へ伝送する画像情報を、送信元の画像表示装置２に伝送している画像情報に変更する。これにより、いずれかの画像表示装置２の表示方向が変更された場合に、変更された表示方向にある画像表示装置２に、表示方向が変更された画像表示装置２と同一の画像を表示させることができる。
【０１１２】
例えば、図４（ａ）に示した状態から、画像表示装置αの表示方向が、図４（ｂ）に示すように、画像表示装置βの方に変更された場合について説明する。この場合、画像表示装置αの制御部２０は、回転角度センサ２４によって回転角度１３５°を検知し、検知した１３５°を、記憶部２１に記憶してある識別情報と共に表示制御装置１へ通知する。表示制御装置１の制御部１０は、取得した識別情報に基づいて、識別情報及び回転角度の送信元の画像表示装置２を画像表示装置αに特定する。制御部１０は、図８に示す表示画像テーブル１１ａから、画像表示装置α及び回転角度１３５°に対応する伝送先の画像表示装置２を画像表示装置βに特定する。そして、制御部１０は、伝送先の画像表示装置２である画像表示装置βへ伝送する画像情報を、送信元の画像表示装置αに送信しているimage1の画像情報に変更する。なお、制御部１０は、他の画像表示装置α，γ，δへ伝送する画像情報は変更しない。
【０１１３】
これにより、デフォルトモードの設定時において、図４（ａ）に示した状態から図４（ｂ）に示した状態に変更された場合、画像表示装置βに表示される画像情報がimage2の画像からimage1の画像に変更される。これにより、発表者が、自身が使用する画像表示装置αを画像表示装置βの方へ向けることにより、画像表示装置βに、画像表示装置αに表示されている画像と同一の画像を表示させることができる。よって、画像表示装置γ，δの閲覧者には見られることなく、画像表示装置βの閲覧者にのみ必要な画像を提供することができる。
【０１１４】
一方、デュアル表示モードが設定されていると判断した場合、制御部１０は、表示画像テーブル１１ａから読み出した伝送先装置の識別情報が示す伝送先の画像表示装置２へ伝送する画像情報を、この伝送先の画像表示装置２に伝送している画像情報と、送信元の画像表示装置２に伝送している画像情報との合成情報に変更する。これにより、いずれかの画像表示装置２の表示方向が変更された場合に、変更された表示方向にある画像表示装置２に、元々表示されていた画像と、表示方向が変更された画像表示装置２と同一の画像とを表示させることができる。
【０１１５】
例えば、図５（ａ）に示した状態から、画像表示装置αの表示方向が、図５（ｂ）に示すように、画像表示装置βの方に変更された場合について説明する。デュアル表示モードの場合も、表示制御装置１の制御部１０は、画像表示装置αから識別情報及び回転角度を取得し、取得した識別情報に基づいて、識別情報及び回転角度の送信元の画像表示装置２を画像表示装置αに特定する。また、制御部１０は、図８に示す表示画像テーブル１１ａから、画像表示装置α及び回転角度１３５°に対応する伝送先の画像表示装置２を画像表示装置βに特定する。
【０１１６】
ここで、デュアル表示モードの設定時は、制御部１０は、画像表示装置βへ伝送する画像情報として、画像表示装置αに伝送しているimage1の画像情報と画像表示装置βに伝送しているimage2の画像情報とを合成して合成情報を生成する。制御部１０は、生成した合成情報を画像表示装置βへ伝送する。なお、制御部１０は、他の画像表示装置α，γ，δへ伝送する画像情報は変更しない。
【０１１７】
これにより、デュアル表示モードの設定時において、図５（ａ）に示した状態から図５（ｂ）に示した状態に変更された場合、画像表示装置βに表示される画像情報がimage2の画像から、image1及びimage2の合成画像に変更される。よって、発表者が、自身が使用する画像表示装置αを画像表示装置βの方へ向けることにより、画像表示装置βに、画像表示装置αに表示されている画像と同一の画像と、元々画像表示装置βに表示されていた画像とを表示させることができる。よって、画像表示装置γ，δの閲覧者には見られることなく、画像表示装置βの閲覧者にのみ必要な画像を提供することができると共に、元々画像表示装置βの閲覧者に提供していた画像の提供も継続できる。
【０１１８】
また、コンフィデンシャル表示モードが設定されていると判断した場合、制御部１０は、表示画像テーブル１１ａから読み出した伝送先装置の識別情報が示す伝送先の画像表示装置２へ伝送する画像情報を、送信元の画像表示装置２に伝送している画像情報に変更し、他の画像表示装置２，２への画像情報の伝送を停止する。これにより、いずれかの画像表示装置２の表示方向が変更された場合に、変更された表示方向にある画像表示装置２に、表示方向が変更された画像表示装置２と同一の画像を表示させ、他の画像表示装置２，２による画像表示を停止させることができる。
【０１１９】
例えば、図６（ａ）に示した状態から、画像表示装置αの表示方向が、図６（ｂ）に示すように、画像表示装置βの方に変更された場合について説明する。コンフィデンシャル表示モードの場合も、表示制御装置１の制御部１０は、画像表示装置αから識別情報及び回転角度を取得し、取得した識別情報に基づいて、識別情報及び回転角度の送信元の画像表示装置２を画像表示装置αに特定する。また、制御部１０は、図８に示す表示画像テーブル１１ａから、画像表示装置α及び回転角度１３５°に対応する伝送先の画像表示装置２を画像表示装置βに特定する。
【０１２０】
ここで、コンフィデンシャル表示モードの設定時は、制御部１０は、画像表示装置αに送信しているimage1の画像情報を画像表示装置βへ伝送する。なお、制御部１０は、他の画像表示装置α，γ，δへは画像情報の伝送を停止する。これにより、コンフィデンシャル表示モードの設定時において、図６（ａ）に示した状態から図６（ｂ）に示した状態に変更された場合、画像表示装置βに表示される画像情報がimage2の画像からimage1の画像に変更され、他の画像表示装置α，γ，δによる画像表示が停止する。
【０１２１】
よって、発表者が、自身が使用する画像表示装置αを画像表示装置βの方へ向けることにより、画像表示装置βに、画像表示装置αに表示されている画像と同一の画像を表示させることができる。よって、画像表示装置γ，δの閲覧者には見られることなく、画像表示装置βの閲覧者にのみ必要な画像を提供することができる。また、他の画像表示装置α，γ，δには画像を表示させないことにより、画像表示装置α，γ，δの閲覧者に対する不要な画像の提供を防止できる。
【０１２２】
なお、上述したように、画像表示装置αを画像表示装置βの方へ向けた場合に、画像表示装置αに表示されていた画像と同一の画像を画像表示装置βに表示させる構成には限らない。例えば、画像表示装置αを画像表示装置βの方へ向けた場合に、画像表示装置βに表示させる画像を予め記憶部１１に格納しておき、記憶部１１に格納してある画像情報を画像表示装置βに表示させてもよい。
【０１２３】
以下に、表示制御装置１の制御部１０が、画像表示装置２，２のそれぞれへ画像情報を伝送する際に行なう処理について説明する。図９及び図１０は表示制御装置１が画像表示装置２，２へ画像情報を伝送する処理の手順を示すフローチャートである。なお、以下の処理は、表示制御装置１の制御部１０によって実行されると共に、画像表示装置２，２の制御部２０によって実行される。また、図９では、一点鎖線で区切った２つの領域において、左側の領域に表示制御装置１の制御部１０による処理を、右側の領域に画像表示装置２，２の制御部２０による処理をそれぞれ示している。
【０１２４】
電源が投入されて起動処理が完了した表示制御装置１の制御部１０は、記憶部１１に予め記憶してある画像情報から、画像表示装置２，２のそれぞれに送信すべき画像情報を特定する（Ｓ２１）。制御部１０は、特定した画像情報を記憶部１１から読み出し、画像表示装置２，２のそれぞれに送信する（Ｓ２２）。
【０１２５】
画像表示装置２，２の制御部２０は、表示制御装置１から受信した画像情報に基づいて画像表示部２２に画像を表示させる（Ｓ２３）。また、制御部２０は、回転角度センサ２４が検知する回転角度に基づいて、画像表示部２２の表示方向が変更されたか否かを判断している（Ｓ２４）。画像表示部２２の表示方向が変更されていないと判断した場合（Ｓ２４：ＮＯ）、制御部２０は、ステップＳ２３へ処理を戻し、表示制御装置１から送信されてくる画像情報を順次受信して画像表示部２２に表示させる。
【０１２６】
画像表示部２２の表示方向が変更されたと判断した場合（Ｓ２４：ＹＥＳ）、画像表示装置２の制御部２０は、回転角度センサ２４によって回転角度を検知する（Ｓ２５）。制御部２０は、検知した回転角度を、記憶部２１に記憶してある識別情報と共に表示制御装置１へ送信する（Ｓ２６）。画像表示装置２，２へ画像情報の送信を開始している表示制御装置１の制御部１０は、画像表示装置２，２から回転角度を受信したか否かを判断している（Ｓ２７）。
【０１２７】
画像表示装置２から回転角度を受信したと判断した場合（Ｓ２７：ＹＥＳ）、制御部１０は、回転角度と共に受信した識別情報に基づいて、識別情報及び回転角度を送信してきた送信元の画像表示装置２を特定する（Ｓ２９）。制御部１０は、図８に示す表示画像テーブル１１ａから、特定した送信元の画像表示装置２の識別情報及び取得した回転角度に基づいて、伝送先の画像表示装置２を特定する（Ｓ３０）。
【０１２８】
制御部１０は、現在デフォルトモードが設定されているか否かを判断する（Ｓ３１）。デフォルトモードが設定されていると判断した場合（Ｓ３１：ＹＥＳ）、制御部１０は、ステップＳ３０で特定した伝送先の画像表示装置２に送信する画像情報を、ステップＳ２９で特定した送信元の画像表示装置２に送信している画像情報に変更する（Ｓ３２）。そして、制御部１０は、送信元の画像表示装置２に送信している画像情報を伝送先の画像表示装置２に送信する（Ｓ２２）。なお、制御部１０は、伝送先の画像表示装置２以外の画像表示装置２，２には、ステップＳ２１で特定した画像情報の送信を継続する。
【０１２９】
デフォルトモードが設定されていないと判断した場合（Ｓ３１：ＮＯ）、制御部１０は、現在デュアル表示モードが設定されているか否かを判断する（Ｓ３３）。デュアル表示モードが設定されていると判断した場合（Ｓ３３：ＹＥＳ）、制御部１０は、ステップＳ３０で特定した伝送先の画像表示装置２に送信している画像情報と、ステップＳ２９で特定した送信元の画像表示装置２に送信している画像情報とを合成する。これにより、制御部１０は、ステップＳ３０で特定した伝送先の画像表示装置２に送信する画像情報を生成して変更する（Ｓ３４）。そして、制御部１０は、生成した合成画像情報を伝送先の画像表示装置２に送信する（Ｓ２２）。なお、制御部１０は、伝送先の画像表示装置２以外の画像表示装置２，２には、ステップＳ２１で特定した画像情報の送信を継続する。
【０１３０】
デュアル表示モードが設定されていないと判断した場合（Ｓ３３：ＮＯ）、即ち、コンフィデンシャル表示モードが設定されている場合、制御部１０は、全ての画像表示装置２，２に送信する画像情報を変更する（Ｓ３５）。具体的には、制御部１０は、ステップＳ３０で特定した伝送先の画像表示装置２に送信する画像情報を、ステップＳ２９で特定した送信元の画像表示装置２に送信している画像情報に変更する。また、制御部１０は、伝送先の画像表示装置２以外の画像表示装置２，２には画像情報を送信しないようにする。
【０１３１】
なお、制御部１０は、伝送先の画像表示装置２以外の画像表示装置２，２に送信する画像情報を、白画像、黒画像又は機密性を有しない所定の画像に変更してもよい。そして、制御部１０は、送信元の画像表示装置２に送信している画像情報を伝送先の画像表示装置２に送信し（Ｓ２２）、他の画像表示装置２，２には、画像情報の送信を行なわない。
【０１３２】
一方、ステップＳ２７で、画像表示装置２から回転角度を受信していないと判断した場合（Ｓ２７：ＮＯ）、制御部１０は、例えば表示制御装置１のユーザが操作部を操作することによって処理の終了が指示されたか否かを判断する（Ｓ２８）。処理の終了が指示されていないと判断した場合（Ｓ２８：ＮＯ）、制御部１０は、ステップＳ２２へ処理を戻し、ステップＳ２１で既に特定してある画像情報、又はステップＳ３２，Ｓ３４，Ｓ３５で適宜変更された画像情報を、それぞれ対応する画像表示装置２，２に送信する（Ｓ２２）。制御部１０は、処理の終了が指示されるまで、上述した処理を繰り返し、処理の終了が指示されたと判断した場合（Ｓ２８：ＹＥＳ）、処理を終了する。
【０１３３】
上述したように、本実施形態２の表示制御装置１は、いずれかの画像表示装置２の表示方向が変更された場合に、変更された表示方向に位置する画像表示装置２に伝送する画像情報を、設定されている表示モードに応じて変更する。よって、画像表示装置２，２の閲覧者は、自身が使用中の画像表示装置２を他の閲覧者が使用中の画像表示装置２の方に向けることによって、他の閲覧者が使用中の画像表示装置２に所望の情報を表示させて提供できる。
【０１３４】
上述した実施形態２の表示制御装置１は、いずれかの画像表示装置２，２の表示方向が変更された場合に、表示方向が変更された画像表示装置２から取得した回転角度に基づいて、図８に示す表示画像テーブル１１ａから、伝送先の画像表示装置２を特定する構成であった。このほかに、例えば、画像表示装置２，２間において赤外線通信等を行ない、それぞれの画像表示装置２の表示方向に位置する他の画像表示装置２を特定する構成であってもよい。また、それぞれの画像表示装置２，２に所定の識別画像を付与すると共に、ＣＣＤカメラ等の撮像手段を備え、それぞれの画像表示装置２，２の表示方向を撮像して得られた画像に含まれる識別画像に基づいて、表示方向に位置する他の画像表示装置２を特定してもよい。
【０１３５】
上述した実施形態２では、画像表示装置２，２のいずれかの表示方向が変更された場合に、変更された表示方向に位置する他の画像表示装置２を特定し、特定した画像表示装置２に、表示方向が変更された画像表示装置２に表示していた画像を表示させる構成であった。このほかに、例えば、変更された表示方向に位置する画像表示装置２に送信すべき画像情報を予め登録しておき、画像表示装置２，２のいずれかの表示方向が変更された場合に、予め登録してある画像情報を、変更された表示方向に位置する画像表示装置２に送信するようにしてもよい。
【０１３６】
（実施形態３）
以下に、実施形態３に係る表示制御システムについて説明する。本実施形態３の表示制御システムは、上述した実施形態２の表示制御システム１００と同様の構成によって実現できるので、構成についての説明を省略する。
【０１３７】
上述した実施形態１，２では、表示制御装置１が、画像表示装置２，２のそれぞれに表示させる画像を予め保持し、画像表示装置２，２の起動後、及び、画像表示装置２，２の回転角度に応じて、保持している画像から適切な画像を選択して画像表示装置２，２へ送信して表示させていた。
【０１３８】
本実施形態３では、各画像表示装置２，２に表示させる画像は予め設定しておかず、画像表示装置２，２のユーザ（発表者及び閲覧者）が操作部２５を操作することによって、表示制御装置１に格納してある任意の画像を取得し、画像表示部２２に表示させる構成とする。なお、本実施形態３の表示制御装置１は、記憶部１１に複数の画像情報を予め記憶してファイルサーバとして動作し、画像表示装置２，２からの要求に応じた画像情報をそれぞれの画像表示装置２，２へ送信する。また、表示制御装置１は、それぞれの画像表示装置２，２へ送信した画像情報、即ち、各画像表示装置２，２が現在表示中の画像情報を管理している。
【０１３９】
本実施形態３の表示制御装置１は、図２に示した構成を有すると共に、図８に示した表示画像テーブル１１ａを記憶部１１に格納しているほか、図１１に示すような表示状況テーブルを記憶部１１に格納している。図１１は表示状況テーブルの記憶内容を示す模式図である。表示状況テーブルには、画像表示装置２，２の識別情報に対応付けて、各画像表示装置２，２で現在表示中の画像の情報が格納されている。図１１に示す表示状況テーブルでは、各画像表示装置２，２で表示中の画像の情報は、記憶部１１に格納してある画像情報のファイル名及びページ数で示されているが、各画像を特定できる情報であれば、ファイル名及びページ数に限らない。
【０１４０】
表示状況テーブルの内容は、表示制御装置１が、画像表示装置２，２からの要求に応じて、画像表示装置２，２に表示させる画像情報の制御を行なった場合に、制御部１０によって随時更新される。このような表示状況テーブルを用いることにより、表示制御装置１は、画像表示装置２，２のそれぞれに対して、現在いずれの画像を送信して表示させているかを把握できる。
【０１４１】
以下に、本実施形態３の表示制御システム１００を、１人の発表者と複数人の参加者（閲覧者）とで行なわれる会議に利用する会議システムに適用した場合に、表示制御装置１及び画像表示装置２，２が行なう処理について説明する。起動処理が完了した画像表示装置２において、ユーザ（発表者及び閲覧者）は、操作部２５を操作することにより、ファイルサーバである表示制御装置１の記憶部１１に記憶されている画像情報のうちから任意の画像情報を選択して要求する。
【０１４２】
起動処理が完了した表示制御装置１の制御部１０は、画像表示装置２，２から要求された画像情報を記憶部１１から読み出し、読み出した画像情報をそれぞれ対応する画像表示装置２，２へ伝送する。なお、表示制御装置１の制御部１０は、画像表示装置２，２のそれぞれに画像情報を伝送した場合、画像表示装置２，２の識別情報に対応させて、伝送した画像情報の情報（画像表示装置２，２で表示中の画像の情報）を表示状況テーブルに登録する。
【０１４３】
画像表示装置２，２の制御部２０は、表示制御装置１から伝送されてきた画像情報を画像表示部２２に表示させ、画面の表示を開始する。画面の表示を開始した画像表示装置２，２の制御部２０は、ユーザが操作部２５を操作することによって、表示中の画像におけるページの移動、新たな画像情報の要求等を受け付ける。制御部２０は、表示中の画像におけるページの移動を受け付けた場合、現在表示中の画像の次のページの画像の画像情報を表示制御装置１に要求し、新たな画像情報の要求を受け付けた場合、要求された画像情報を表示制御装置１に要求する。
【０１４４】
画像表示装置２，２から画像情報を要求された表示制御装置１の制御部１０は、要求された画像情報を記憶部１１から読み出し、読み出した画像情報を画像表示装置２，２へ伝送する。そして、制御部１０は、表示状況テーブルの表示中の画像の情報を、画像表示装置２，２に伝送した画像情報の情報に更新する。
【０１４５】
また、画面の表示を開始した画像表示装置２，２の制御部２０は、回転角度センサ２４が検知する回転角度に基づいて、画像表示部２２の表示方向が変更されたか否かを判断する。制御部２０は、画像表示部２２の表示方向が変更されたことを検出した場合、回転角度センサ２４によって検知した回転角度を、記憶部２１に記憶してある識別情報と共に表示制御装置１へ通知する。
【０１４６】
表示制御装置１の制御部１０は、画像表示部２２の表示方向が変更された画像表示装置２から識別情報及び回転角度を取得した場合、取得した識別情報に基づいて、識別情報及び回転角度を送信してきた画像表示装置２（送信元の画像表示装置２）を特定する。また、制御部１０は、図８に示す表示画像テーブル１１ａから、特定した送信元の画像表示装置２の識別情報及び回転角度に対応する伝送先の画像表示装置２の識別情報を読み出す。更に、制御部１０は、デフォルトモード、デュアル表示モード、コンフィデンシャル表示モードのいずれが設定されているかを判断する。
【０１４７】
デフォルトモードが設定されていると判断した場合、制御部１０は、表示画像テーブル１１ａから読み出した伝送先装置の識別情報が示す伝送先の画像表示装置２へ伝送する画像情報を、送信元の画像表示装置２に伝送している画像情報に変更する。なお、制御部１０は、送信元の画像表示装置２に伝送している画像情報を、表示状況テーブルに基づいて特定する。よって、例えば、図４（ａ）に示した状態から、画像表示装置αの表示方向が、図４（ｂ）に示すように、画像表示装置βの方に変更された場合、画像表示装置βへ伝送する画像情報を、画像表示装置αに送信している画像情報（ファイル名が111.pptの４ページ目の画像情報）に変更する。これにより、発表者が、自身が使用する画像表示装置αを画像表示装置βの方へ向けることにより、画像表示装置βに、画像表示装置αに表示されている画像と同一の画像を表示させることができる。
【０１４８】
一方、デュアル表示モードが設定されていると判断した場合、制御部１０は、表示画像テーブル１１ａから読み出した伝送先装置の識別情報が示す伝送先の画像表示装置２へ伝送する画像情報を、この伝送先の画像表示装置２に伝送している画像情報と、送信元の画像表示装置２に伝送している画像情報との合成情報に変更する。具体的には、例えば、図５（ａ）に示した状態から、画像表示装置αの表示方向が、図５（ｂ）に示すように、画像表示装置βの方に変更された場合、画像表示装置βへ伝送する画像情報として、画像表示装置αに伝送している画像情報（ファイル名111.pptの４ページ目）と画像表示装置βに伝送している画像情報（ファイル名222.docの３ページ目）とを合成し、得られた合成情報に変更する。これにより、発表者が、自身が使用する画像表示装置αを画像表示装置βの方へ向けることにより、画像表示装置βに、画像表示装置αに表示されている画像と同一の画像と、元々画像表示装置βに表示されていた画像とを表示させることができる。
【０１４９】
また、コンフィデンシャル表示モードが設定されていると判断した場合、制御部１０は、表示画像テーブル１１ａから読み出した伝送先装置の識別情報が示す伝送先の画像表示装置２へ伝送する画像情報を、送信元の画像表示装置２に伝送している画像情報に変更し、他の画像表示装置２，２への画像情報の伝送を停止する。具体的には、例えば、図６（ａ）に示した状態から、画像表示装置αの表示方向が、図６（ｂ）に示すように、画像表示装置βの方に変更された場合、画像表示装置αに送信している画像情報（ファイル名111.pptの４ページ目）を画像表示装置βへ伝送する。なお、制御部１０は、他の画像表示装置α，γ，δへは画像情報の伝送を停止する。
【０１５０】
これにより、発表者が、自身が使用する画像表示装置αを画像表示装置βの方へ向けることにより、画像表示装置βに、画像表示装置αに表示されている画像と同一の画像を表示させることができる。また、他の画像表示装置α，γ，δには画像を表示させないことにより、画像表示装置α，γ，δの閲覧者に対する不要な画像の提供を防止できる。
【０１５１】
表示制御装置１の制御部１０は、画像表示装置２，２のそれぞれに画像情報を伝送した場合、表示状況テーブルの表示中の画像の情報を、画像表示装置２，２に伝送した画像情報の情報に更新する。
【０１５２】
以下に、本実施形態３の表示制御装置１の制御部１０が、画像表示装置２，２のそれぞれへ画像情報を伝送する際に行なう処理について説明する。図１２及び図１３は表示制御装置１が画像表示装置２，２へ画像情報を伝送する処理の手順を示すフローチャートである。なお、以下の処理は、表示制御装置１の制御部１０によって実行されると共に、画像表示装置２，２の制御部２０によって実行される。また、図１２では、一点鎖線で区切った２つの領域において、左側の領域に表示制御装置１の制御部１０による処理を、右側の領域に画像表示装置２，２の制御部２０による処理をそれぞれ示している。
【０１５３】
電源が投入されて起動処理が完了した画像表示装置２，２において、ユーザは、閲覧したい画像を、表示制御装置１の記憶部１１に記憶されている画像情報から選択し、画像表示部２２に表示させる指示を操作部２５を介して行なう。画像表示装置２，２の制御部２０は、操作部２５を介して、表示制御装置１の記憶部１１に記憶されているいずれかの画像情報の要求を受け付けたか否かを判断する（Ｓ５１）。
【０１５４】
画像情報の要求を受け付けたと判断した場合（Ｓ５１：ＹＥＳ）、制御部２０は、ユーザから要求された画像情報を表示制御装置１に要求する（Ｓ５２）。画像情報の要求を受け付けていないと判断した場合（Ｓ５１：ＮＯ）、制御部２０は、ステップＳ５７へ処理を移行する。
【０１５５】
電源が投入されて起動処理が完了した表示制御装置１の制御部１０は、画像表示装置２，２からの画像情報の要求待ち状態となっており、画像表示装置２，２から画像情報を要求されたか否かを判断する（Ｓ５３）。いずれかの画像表示装置２から画像情報を要求されたと判断した場合（Ｓ５３：ＹＥＳ）、制御部１０は、要求された画像情報を記憶部１１から読み出し、要求してきた画像表示装置２に送信する（Ｓ５４）。また、制御部１０は、送信先の画像表示装置２の識別情報に対応付けて表示状況テーブルに登録されている表示中の画像の情報を、送信した画像情報の情報に更新する（Ｓ５５）。なお、いずれの画像表示装置２，２からも画像情報を要求されていないと判断した場合（Ｓ５３：ＮＯ）、制御部１０は、ステップＳ６０へ処理を移行する。
【０１５６】
画像表示装置２，２の制御部２０は、表示制御装置１から受信した画像情報に基づいて画像表示部２２に画像を表示させる（Ｓ５６）。また、制御部２０は、回転角度センサ２４が検知する回転角度に基づいて、画像表示部２２の表示方向が変更されたか否かを判断している（Ｓ５７）。画像表示部２２の表示方向が変更されていないと判断した場合（Ｓ５７：ＮＯ）、制御部２０は、ステップＳ５１へ処理を戻す。そして、制御部２０は、操作部２５を介して、表示中の画像におけるページの移動、又は、新たな画像情報の要求等、表示制御装置１に記憶されているいずれかの画像情報の要求を受け付けたか否かを判断する（Ｓ５１）。
【０１５７】
画像表示部２２の表示方向が変更されたと判断した場合（Ｓ５７：ＹＥＳ）、制御部２０は、回転角度センサ２４によって回転角度を検知する（Ｓ５８）。制御部２０は、検知した回転角度を、記憶部２１に記憶してある識別情報と共に表示制御装置１へ送信する（Ｓ５９）。表示制御装置１の制御部１０は、画像表示装置２，２から回転角度を受信したか否かを判断している（Ｓ６０）。
【０１５８】
画像表示装置２から回転角度を受信したと判断した場合（Ｓ６０：ＹＥＳ）、制御部１０は、回転角度と共に受信した識別情報に基づいて、識別情報及び回転角度を送信してきた送信元の画像表示装置２を特定する（Ｓ６２）。制御部１０は、図８に示す表示画像テーブル１１ａから、特定した送信元の画像表示装置２の識別情報及び取得した回転角度に基づいて、伝送先の画像表示装置２を特定する（Ｓ６３）。
【０１５９】
制御部１０は、現在デフォルトモードが設定されているか否かを判断する（Ｓ６４）。デフォルトモードが設定されていると判断した場合（Ｓ６４：ＹＥＳ）、制御部１０は、ステップＳ６３で特定した伝送先の画像表示装置２に送信する画像情報を、ステップＳ６２で特定した送信元の画像表示装置２に送信している画像情報に変更する（Ｓ６５）。なお、制御部１０は、表示状況テーブルに基づいて、送信元の画像表示装置２に現在送信中の画像情報を特定し、特定した画像情報を、伝送先の画像表示装置２に送信する画像情報とする。
【０１６０】
制御部１０は、変更した画像情報、即ち、送信元の画像表示装置２に送信している画像情報を、伝送先の画像表示装置２に送信する（Ｓ５４）。また、制御部１０は、送信する画像を変更した画像表示装置２（伝送先の画像表示装置２）の識別情報に対応付けて表示状況テーブルに登録されている表示中の画像の情報を、送信した画像情報の情報に更新し（Ｓ５５）、ステップＳ６０以降の処理を繰り返す。画像表示装置２の制御部２０は、表示制御装置１から受信した画像情報に基づいて画像表示部２２に画像を表示させ（Ｓ５６）、ステップＳ５７以降の処理を繰り返す。
【０１６１】
デフォルトモードが設定されていないと判断した場合（Ｓ６４：ＮＯ）、制御部１０は、現在デュアル表示モードが設定されているか否かを判断する（Ｓ６６）。デュアル表示モードが設定されていると判断した場合（Ｓ６６：ＹＥＳ）、制御部１０は、ステップＳ６３で特定した伝送先の画像表示装置２に送信している画像情報と、ステップＳ６２で特定した送信元の画像表示装置２に送信している画像情報とを合成する。これにより、制御部１０は、ステップＳ６３で特定した伝送先の画像表示装置２に送信する画像情報を生成して変更する（Ｓ６７）。
【０１６２】
なお、制御部１０は、表示状況テーブルに基づいて、伝送先の画像表示装置２に現在送信中の画像情報と、送信元の画像表示装置２に現在送信中の画像情報とを特定して合成する。制御部１０は、変更した画像情報、即ち、伝送先の画像表示装置２に現在送信中の画像情報と、送信元の画像表示装置２に現在送信中の画像情報とを合成して得られた画像情報を、伝送先の画像表示装置２に送信する（Ｓ５４）。また、制御部１０は、送信する画像を変更した画像表示装置２（伝送先の画像表示装置２）の識別情報に対応付けて表示状況テーブルに登録されている表示中の画像の情報を、送信した画像情報の情報に更新し（Ｓ５５）、ステップＳ６０以降の処理を繰り返す。画像表示装置２の制御部２０は、表示制御装置１から受信した画像情報に基づいて画像表示部２２に画像を表示させ（Ｓ５６）、ステップＳ５７以降の処理を繰り返す。
【０１６３】
デュアル表示モードが設定されていないと判断した場合（Ｓ６６：ＮＯ）、即ち、コンフィデンシャル表示モードが設定されている場合、制御部１０は、全ての画像表示装置２，２に送信する画像情報を変更する（Ｓ６８）。具体的には、制御部１０は、ステップＳ６３で特定した伝送先の画像表示装置２に送信する画像情報を、ステップＳ６２で特定した送信元の画像表示装置２に送信している画像情報に変更する。また、制御部１０は、伝送先の画像表示装置２以外の画像表示装置２，２には画像情報を送信しないようにする。
【０１６４】
制御部１０は、変更した画像情報、即ち、送信元の画像表示装置２に現在送信中の画像情報を伝送先の画像表示装置２に送信し、伝送先の画像表示装置２以外の画像表示装置２，２への画像情報の送信を停止する（Ｓ５４）。また、制御部１０は、送信する画像を変更した画像表示装置２の識別情報に対応付けて表示状況テーブルに登録されている表示中の画像の情報を、送信した画像情報の情報に更新し（Ｓ５５）、ステップＳ６０以降の処理を繰り返す。なお、画像情報の送信を停止した画像表示装置２，２の識別情報に対応付けて表示状況テーブルに登録されている表示中の画像の情報は、削除される。画像表示装置２の制御部２０は、表示制御装置１から受信した画像情報に基づいて画像表示部２２に画像を表示させ（Ｓ５６）、ステップＳ５７以降の処理を繰り返す。
【０１６５】
一方、ステップＳ６０で、画像表示装置２から回転角度を受信していないと判断した場合（Ｓ６０：ＮＯ）、制御部１０は、例えば表示制御装置１のユーザが操作部を操作することによって処理の終了が指示されたか否かを判断する（Ｓ６１）。処理の終了が指示されていないと判断した場合（Ｓ６１：ＮＯ）、制御部１０は、ステップＳ５３へ処理を戻し、画像表示装置２，２から画像情報を要求されたか否かを判断する（Ｓ５３）。制御部１０は、処理の終了が指示されるまで、上述した処理を繰り返し、処理の終了が指示されたと判断した場合（Ｓ６１：ＹＥＳ）、処理を終了する。
【０１６６】
上述したように、本実施形態３の表示制御システムでは、画像表示装置２，２のユーザが、それぞれ任意の画像を表示させることができる。そして、画像表示装置２，２にそれぞれ任意の画像が表示された状態で、いずれかの画像表示装置２の表示方向が変更された場合に、変更された表示方向に位置する画像表示装置２に表示させる画像情報を、設定されている表示モードに応じて変更できる。よって、画像表示装置２，２のユーザは、自身が閲覧したい画像を画像表示装置２，２に表示させつつ、自身が使用中の画像表示装置２を他の閲覧者が使用中の画像表示装置２の方に向けることによって、他の閲覧者が使用中の画像表示装置２に所望の情報を表示させて提供できる。
【０１６７】
上述した実施形態３では、表示制御装置１がファイルサーバとして動作し、画像表示装置２，２のユーザは、表示制御装置１に格納されている画像情報のうちから任意の画像情報を選択して画像表示装置２，２に表示させていた。この構成のほかに、画像表示装置２，２が、表示制御装置１以外のファイルサーバから画像情報を取得してもよい。具体的には、画像表示装置２，２は、ユーザからの指示に従って、任意のファイルサーバから任意の画像情報を取得して画像表示部２２に表示させる。そして、表示制御装置１は、表示状況テーブルにおいて、各画像表示装置２，２に表示中の画像の情報として、画像情報のファイル名及びページ数のほかに、画像情報を保持するファイルサーバを特定するためのサーバ識別情報も管理しておく。
【０１６８】
そして、いずれかの画像表示装置２の表示方向が変更された場合に、表示制御装置１は、変更された表示方向に位置する画像表示装置２に対して、表示させる画像情報を保持するファイルサーバのサーバ識別情報、ファイル名及びページ数を通知する。そして、画像表示装置２は、通知されたサーバ識別情報が示すファイルサーバから、通知されたファイル名及びページ数に対応する画像情報を取得して画像表示部２２に表示させる。これにより、表示制御装置１に格納されている画像情報だけでなく、表示制御装置１及び画像表示装置２，２がネットワークを介して接続可能なサーバに格納されている画像情報も、画像表示装置２，２に表示させて閲覧することができる。また、画像表示装置２，２の記憶部２１に記憶してある画像情報も同様に、それぞれの画像表示装置２，２に表示させてもよい。
【０１６９】
（実施形態４）
以下に、実施形態４に係る表示制御システムについて説明する。本実施形態４の表示制御システムは、上述した実施形態１の表示制御システム１００と同様の構成によって実現できるので、構成についての説明を省略する。なお、本実施形態４では、１つの表示制御装置１と、１つの画像表示装置２とを備える構成の表示制御システム１００について説明する。
【０１７０】
上述した実施形態１では、複数のユーザ（発表者及び参加者）に対して複数の画像表示装置２，２が用意される会議システムに適用した例を説明した。従って、例えば、画像表示装置αを画像表示装置β，γ，δのいずれかの方向に向けた場合に、画像表示装置αが向けられた画像表示装置β，γ，δのいずれかに表示させる画像情報を適宜変更する構成であった。本実施形態４では、複数の参加者に対しては画像表示装置２が用意されておらず、発表者が使用する１つの画像表示装置２を各参加者の方向に向けることによって、それぞれの参加者に情報を提供する構成とする。
【０１７１】
本実施形態４の表示制御装置１は、図２に示した構成と同様の構成を有するが、表示画像テーブル１１ａの代わりに、ユーザ位置テーブル及びユーザ毎表示画像テーブル等を記憶部１１に格納している。また、ユーザ毎表示画像テーブルの代わりにユーザ情報テーブルが記憶部１１に格納されていてもよい。図１４は実施形態４の表示制御装置１の記憶部１１に格納されているテーブルの記憶内容を示す模式図である。図１４（ａ）にはユーザ位置テーブルを、図１４（ｂ）にはユーザ毎表示画像テーブルを、図１４（ｃ）にはユーザ情報テーブルをそれぞれ示す。
【０１７２】
図１４（ａ）に示すユーザ位置テーブル（位置情報テーブル）には、画像表示装置２の回転角度に対応付けて、ユーザを識別するためのユーザ情報等が格納されている。ユーザ情報は、画像表示装置２を各回転角度に回転させた場合に、画像表示部２２の表示方向に位置するユーザを示す情報である。即ち、例えば、画像表示装置２を１３５°回転させた場合、画像表示装置２の表示方向に参加者ロが位置することになる。
【０１７３】
図１４（ｂ）に示すユーザ毎表示画像テーブル（画像記憶部）には、ユーザ情報に対応付けて、それぞれのユーザに提供すべき画像を特定するための表示画像情報等が格納されている。表示画像情報は、画像表示装置２の表示方向が、対応するユーザ情報で識別されるユーザの方向となった場合に、画像表示装置２に伝送すべき画像情報を示す。なお、図１４（ｂ）に示すユーザ毎表示画像テーブルの代わりに、図１４（ｃ）に示すユーザ情報テーブルを記憶部１１に格納しておいてもよい。
【０１７４】
図１４（ｃ）に示すユーザ情報テーブル（閲覧者テーブル）には、ユーザ情報に対応付けて、それぞれのユーザに予め設定されている機密レベル等が格納されている。図１４（ｃ）では、機密レベルとして、「高」、「中」、「低」が格納されているが、これは、各ユーザに提供できる画像情報に設定されている機密レベルに対応する。即ち、画像表示装置２の表示方向が、いずれかのユーザの方向となった場合に、このユーザに対応する機密レベルの画像情報が、画像表示装置２に伝送されることになる。なお、ユーザ情報テーブルを用いる場合、それぞれの機密レベルに対応付けて、各機密性が設定された画像情報を、ユーザ情報テーブルとは別に記憶部１１に格納しておく。
【０１７５】
以下に、本実施形態４の表示制御システム１００を、１人の発表者と複数人の参加者とで行なわれる会議に利用する会議システムに適用した場合に、表示制御装置１及び画像表示装置２が行なう処理について説明する。起動処理が完了した画像表示装置２の制御部２０は、回転角度センサ２４によって検知した回転角度を表示制御装置１へ通知する。なお、画像表示装置２の回転角度は、起動した時点での画像表示部２２の向きを基準とするので、このときの回転角度は０°となる。一方、起動処理が完了した表示制御装置１の制御部１０は、画像表示装置２から取得した回転角度に基づいて、画像表示装置２へ伝送すべき画像情報を選択する。
【０１７６】
具体的には、制御部（閲覧者検出部）１０は、画像表示装置２から回転角度（ここでは０°）を取得した場合、取得した回転角度に対応するユーザ情報（ここでは発表者イ）をユーザ位置テーブルから読み出す。次に、制御部１０は、読み出したユーザ情報に対応する表示画像情報をユーザ毎表示画像テーブルから読み出す。そして、制御部１０は、ユーザ毎表示画像テーブルから読み出した表示画像情報を画像表示装置２へ伝送する。なお、表示制御装置１は、画像表示装置２の起動直後は、画像表示装置２の回転角度（表示方向）に基づいて画像情報を選択するのではなく、予め登録されている画像情報を画像表示装置２に伝送するようにしてもよい。
【０１７７】
上述したように表示制御装置１が伝送した画像情報を画像表示装置２が取得して画像表示部２２に表示させることにより、画像表示装置２に対して予め登録されていた画像を表示させることができる。画像表示装置２の制御部２０は、表示制御装置１から伝送されてくる画像情報を取得して画像表示部２２に表示させると共に、回転角度センサ２４が検知する回転角度に基づいて、画像表示部２２の表示方向が変更されたか否かを判断している。制御部２０は、画像表示部２２の表示方向が変更されたことを検出した場合、回転角度センサ２４によって検知した回転角度を表示制御装置１へ通知する。
【０１７８】
画像表示装置２へ画像情報の伝送を開始している表示制御装置１の制御部１０は、画像表示装置２から回転角度を取得した場合、取得した回転角度に基づいて、上述した処理と同様に、画像表示装置２へ伝送すべき画像情報を選択する。具体的には、制御部１０は、画像表示装置２から取得した回転角度に対応するユーザ情報を、ユーザ位置テーブルから読み出し、読み出したユーザ情報に対応する表示画像情報を、ユーザ毎表示画像テーブルから読み出す。そして、制御部１０は、ユーザ毎表示画像テーブルから読み出した表示画像情報を画像表示装置２へ伝送する。これにより、画像表示装置２の表示方向が変更された場合に、変更された表示方向に応じて予め登録されている画像を画像表示装置２に表示させることができる。
【０１７９】
なお、ユーザ毎表示画像テーブルの代わりにユーザ情報テーブルを用いる場合、表示制御装置１の制御部１０は、画像表示装置２から取得した回転角度に対応するユーザ情報をユーザ位置テーブルから読み出し、読み出したユーザ情報に対応する機密レベルをユーザ情報テーブルから読み出す。そして、制御部１０は、ユーザ情報テーブルから読み出した機密レベルが設定されている画像情報を記憶部１１から読み出し、画像表示装置２へ伝送する。このようにユーザ情報テーブルを用いる場合、高い機密レベルが設定されているユーザに対して機密性の高い情報の提供が可能となる。
【０１８０】
図１５は画像表示装置２に表示される画像情報を説明するための模式図である。なお、図１５（ａ）乃至図１５（ｄ）のそれぞれは、発表者イ及び参加者ロ，ハ，ニの４人が１つの画像表示装置２を取り囲んで使用している状況を真上方向から見た図を示す。初期状態では、図１５（ａ）に示すように、画像表示装置２の表示方向は右方向であり、このときの画像表示装置２の回転角度を０°とする。
【０１８１】
図１５では、会議の発表者イのみが画像表示装置２を使用し、３人の参加者のいずれかに画像を見せたい場合に、その参加者の方に画像表示装置２の画像表示部２２を向ける。従って、図１５では、画像表示装置２の表示方向が変更された場合に、画像表示装置２に表示される画像情報について説明する。
【０１８２】
図１４（ａ）のユーザ位置テーブル及び図１４（ｂ）のユーザ毎表示画像テーブルに示すように、画像表示装置２の回転角度が０°の場合、画像表示装置２の表示方向は発表者イの方向となり、このときの表示画像情報はimage1である。従って、図１５（ａ）に示すように、初期状態では、画像表示装置２にはimage1の画像が表示される。図１５（ａ）に示した状態から、画像表示装置２の表示方向が、図１５（ｂ）に示すように参加者ロの方に変更された場合、制御部２０は、回転角度センサ２４によって回転角度１３５°を検知する。制御部２０は、検知した１３５°を表示制御装置１へ通知し、表示制御装置１の制御部１０は、画像表示装置２から回転角度１３５°を取得する。
【０１８３】
表示制御装置１の制御部１０は、取得した回転角度１３５°に対応するユーザ情報として参加者ロを示す情報をユーザ位置テーブルから読み出す。制御部１０は、参加者ロを示す情報に対応する表示画像情報としてimage2をユーザ毎表示画像テーブルから読み出す。制御部１０は、image2の画像情報を画像表示装置２へ伝送する。これにより、図１５（ａ）に示した状態から図１５（ｂ）に示した状態に変更された場合、画像表示装置２に表示される画像情報がimage1の画像からimage2の画像に変更される。これにより、発表者イが、画像表示装置２を参加者ロの方へ向けることにより、画像表示装置２に、参加者ロに提供すべき画像を表示させることができる。よって、参加者ハ，ニには見られることなく、参加者ロにのみ必要な画像を提供することができる。
【０１８４】
同様にして、画像表示装置２の表示方向が、図１５（ｃ）に示すように参加者ハの方に変更された場合、表示制御装置１の制御部１０は、image3の画像情報を画像表示装置２へ伝送する。よって、図１５（ａ）に示した状態から図１５（ｃ）に示した状態に変更された場合、画像表示装置２に表示される画像情報がimage1の画像からimage3の画像に変更される。また、画像表示装置２の表示方向が、図１５（ｄ）に示すように参加者ニの方に変更された場合、表示制御装置１の制御部１０は、image4の画像情報を画像表示装置２へ伝送する。よって、図１５（ａ）に示した状態から図１５（ｄ）に示した状態に変更された場合、画像表示装置２に表示される画像情報がimage1の画像からimage4の画像に変更される。
【０１８５】
以下に、表示制御装置１の制御部１０が、画像表示装置２へ画像情報を伝送する際に行なう処理について説明する。図１６は表示制御装置１が画像表示装置２へ画像情報を伝送する処理の手順を示すフローチャートである。なお、以下の処理は、表示制御装置１の制御部１０によって実行されると共に、画像表示装置２の制御部２０によって実行される。また、図１６では、一点鎖線で区切った２つの領域において、左側の領域に表示制御装置１の制御部１０による処理を、右側の領域に画像表示装置２の制御部２０による処理をそれぞれ示している。
【０１８６】
電源が投入されて起動処理が完了した画像表示装置２の制御部２０は、回転角度センサ２４によって回転角度を検知し（Ｓ４１）、検知した回転角度を表示制御装置１へ送信する（Ｓ４２）。一方、電源が投入されて起動処理が完了した表示制御装置１の制御部１０は、画像表示装置２から送信されてくる回転角度の受信待ち状態となっており、画像表示装置２から回転角度を受信したか否かを判断している（Ｓ４３）。
【０１８７】
回転角度を受信したと判断した場合（Ｓ４３：ＹＥＳ）、制御部１０は、受信した回転角度に対応するユーザを、ユーザ位置テーブルに基づいて特定する（Ｓ４４）。制御部１０は、特定したユーザに基づいて、画像表示装置２に送信する画像情報をユーザ毎表示画像テーブルから特定する（Ｓ４５）。制御部１０は、特定した画像情報を画像表示装置２に送信する（Ｓ４６）。なお、表示制御装置１は、画像表示装置２の起動直後は、上述したように画像表示装置２の回転角度に基づいて、画像表示装置２へ送信すべき画像情報を選択するのではなく、予め登録されている画像情報を画像表示装置２に送信するようにしてもよい。
【０１８８】
画像表示装置２へ画像情報の送信を開始した表示制御装置１の制御部１０は、例えば表示制御装置１のユーザが操作部を操作することによって処理の終了が指示されたか否かを判断している（Ｓ４７）。処理の終了が指示されていないと判断した場合（Ｓ４７：ＮＯ）、制御部１０は、ステップＳ４３へ処理を戻し、画像表示装置２から回転角度を受信したか否かを判断する（Ｓ４３）。
【０１８９】
一方、表示制御装置１から画像情報を受信した画像表示装置２の制御部２０は、受信した画像情報に基づいて画像表示部２２に画像を表示させる（Ｓ４８）。また、制御部２０は、回転角度センサ２４が検知する回転角度に基づいて、画像表示部２２の表示方向が変更されたか否かを判断している（Ｓ４９）。画像表示部２２の表示方向が変更されていないと判断した場合（Ｓ４９：ＮＯ）、制御部２０は、ステップＳ４８へ処理を戻し、表示制御装置１から送信されてくる画像情報を順次受信して画像表示部２２に表示させる。
【０１９０】
画像表示部２２の表示方向が変更されたと判断した場合（Ｓ４９：ＹＥＳ）、画像表示装置２の制御部２０は、ステップＳ４１へ処理を戻し、回転角度センサ２４によって回転角度を検知し（Ｓ４１）、検知した回転角度を表示制御装置１へ送信する（Ｓ４２）。表示制御装置１の制御部１０は、画像表示装置２から送信された回転角度を受信した場合（Ｓ４３：ＹＥＳ）、以降のステップＳ４４〜Ｓ４７の処理を繰り返す。これにより、画像表示装置２の表示方向が変更される都度、変更された表示方向に応じて、画像表示装置２に表示させる画像を変更させることができる。
【０１９１】
一方、表示制御装置１の制御部１０は、画像表示装置２から送信された回転角度を受信していないと判断した場合（Ｓ４３：ＮＯ）、ステップＳ４６へ処理を移行する。そして、制御部１０は、ステップＳ４５で既に特定してある画像情報の画像表示装置２への送信を継続する（Ｓ４６）。制御部１０は、処理の終了が指示されるまで、上述した処理を繰り返し、処理の終了が指示されたと判断した場合（Ｓ４７：ＹＥＳ）、処理を終了する。
【０１９２】
上述したように、表示制御装置１から伝送されてくる画像情報に基づいて画像を表示している画像表示装置２は、表示方向が変更された場合に、変更された表示方向を表示制御装置１に通知する。そして、表示制御装置１は、画像表示装置２から通知された表示方向（回転角度）に応じて、画像表示装置２へ伝送すべき画像情報を変更させる。よって、発表者イが画像表示装置２の表示方向を変更することによって、それぞれの参加者に対して有用な情報を画像表示装置２に表示させて提供できる。
【０１９３】
上述した実施形態４も、画像表示装置２の制御部２０が、回転角度センサ２４によって、画像表示部２２の表示方向として０°、１３５°、１８０°、２２５°の回転角度を検知する例について説明した。しかし、画像表示部２２は完全に０°、１３５°、１８０°、２２５°の方向に回転させられるとは限らない。従って、表示制御装置１が画像表示装置２から取得した回転角度が、ユーザ位置テーブルに格納してある回転角度に一致しない場合が有り得る。この場合、制御部１０は、ユーザ位置テーブルに格納してある回転角度のうちで、画像表示装置２から取得した回転角度に最も近い回転角度を、画像表示装置２の表示方向として処理すればよい。
【０１９４】
上述した実施形態４のユーザ位置テーブルには、画像表示装置２の表示方向（回転角度）に存在するユーザとして個人を特定するユーザ情報が登録されていた。しかし、例えば技術部及び経理部等の部署を特定する情報をユーザ位置テーブルに登録すると共に、ユーザ毎表示画像テーブルには、部署毎の表示画像情報を登録しておいてもよい。この場合、画像表示装置２の表示方向（回転角度）に存在するユーザ個人を特定するのではなく、画像表示装置２の表示方向（回転角度）に存在するユーザの部署に応じて、画像表示装置２に表示させる画像を制御できる。
【０１９５】
上述した実施形態４の表示制御装置１は、画像表示装置２の表示方向が変更された場合に、画像表示装置２の回転角度に基づいて、図１４（ａ）に示すユーザ位置テーブルから、変更された表示方向に存在するユーザを特定する構成であった。このほかに、例えば、各ユーザに、ユーザを識別する情報を記録させたＩＣカード等を携帯させると共に、画像表示装置２にＩＣカードに対して非接触での読み取りが可能な読み取り機能を備えておく。そして、画像表示装置２の画像表示部２２を各ユーザの方に向けた場合に、画像表示装置２が各ユーザのＩＣカードから情報を読み取ることによって、画像表示装置２の表示方向に存在するユーザを特定してもよい。
【０１９６】
上述した実施形態４の表示制御装置１は、画像表示装置２の表示方向に存在するユーザをユーザ位置テーブルに基づいて特定する構成であった。しかし、例えば、複数の画像表示装置２，２を備える表示制御システム１００であれば、図３の表示画像テーブル１１ａのように、画像表示装置２の表示方向に対応付けて、各表示方向に位置する画像表示装置２，２の識別情報を登録しておく。また、それぞれの画像表示装置２，２に対応付けて、画像表示装置２，２を使用するユーザを登録しておく。そして、画像表示装置２の表示方向が変更された場合に、画像表示装置２の表示方向に存在する画像表示装置２をまず特定する。そして、特定した画像表示装置２が割り当てられているユーザを特定することによって、画像表示装置２の表示方向に存在するユーザを特定するようにしてもよい。
【０１９７】
実施形態１〜３では、本願の表示制御システムを会議システムに適用した形態について説明したが、この形態に限定されるものではない。例えば、インフォメーションディスプレイ等の広告表示を行なう装置において、回転角度に応じて表示させる画像を制御するシステムに適用することもできる。また、表示制御装置１及び画像表示装置２，２として、携帯電話及び携帯端末等のモバイル端末機器、一般的なパーソナルコンピュータ等を利用してもよい。
【０１９８】
以上、本発明の好適な実施形態について具体的に説明したが、各構成及び動作等は適宜変更可能であって、上述の実施形態に限定されることはない。
【符号の説明】
【０１９９】
１  表示制御装置
１０  制御部
２  画像表示装置
２０  制御部
２２  画像表示部
２４  回転角度センサ
２６  通信インタフェース
【図１】
2011022862.tif 000003
【図２】
2011022862.tif 000004
【図３】
2011022862.tif 000005
【図４】
2011022862.tif 000006
【図５】
2011022862.tif 000007
【図６】
2011022862.tif 000008
【図７】
2011022862.tif 000009
【図８】
2011022862.tif 000010
【図９】
2011022862.tif 000011
【図１０】
2011022862.tif 000012
【図１１】
2011022862.tif 000013
【図１２】
2011022862.tif 000014
【図１３】
2011022862.tif 000015
【図１４】
2011022862.tif 000016
【図１５】
2011022862.tif 000017
【図１６】
2011022862.tif 000018